(57)【要約】【課題】回転リールのリール演出と画像表示部に対する表示演出との不一致を防止し、演出効果を向上する。【解決手段】  上乗せ演出の実行が決定されると、主制御基板は、複数の回転リールを仮停止させるとともに、１の回転リールを決定し、回転リール回転条件が成立してから回転待機期間経過後に、決定した１の回転リールと他の回転リールとを異なる態様で回転制御し、副制御基板は、複数の上乗せ回数候補を示す上乗せ回数候補部分画像を、画像表示部における複数の回転リールそれぞれに対応する位置に表示し、回転リール回転条件が成立するまでの間、移動表示操作に応じて上乗せ回数候補部分画像を移動表示させ、決定した１の回転リールに対応する位置に表示された上乗せ回数候補部分画像が示す上乗せ回数候補を上乗せ回数として決定し、回転待機期間は、移動表示操作に応じて上乗せ回数候補部分画像を移動表示させる移動表示期間以上の長さに設定される。【選択図】図１５
2015112162.tif 000002
【特許請求の範囲】
【請求項１】
遊技に関するコマンドを決定し、決定されたコマンドを送信する主制御基板と、
前記主制御基板から前記コマンドを受信し、受信したコマンドに応じて処理を実行する副制御基板と、
を備え、
前記主制御基板と前記副制御基板との前記コマンドを含む情報の交換が、該主制御基板から該副制御基板への一方向のみに制限された遊技機であって、
前記主制御基板は、
遊技に使用するための遊技媒体をベットするベット手段と、
遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応したストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、該小役に対応する遊技媒体を払い出す払出制御手段と、
前記当選種別抽選手段の抽選結果を示す当選種別コマンドを含む複数のコマンドを決定するコマンド決定手段と、
決定されたコマンドを前記副制御基板に送信するコマンド送信手段と、
を備え、
前記副制御基板は、
前記ストップスイッチに対する複数の操作態様のうちの所定の操作態様である正解操作態様が入賞条件として設定された当選役と他の当選役とが重複した当選種別の当選に応じて該正解操作態様を報知する補助演出を含む演出を実行する演出実行手段と、
前記補助演出を行う特定遊技状態を含む複数の遊技状態から１の遊技状態を決定するとともに、該特定遊技状態における該補助演出を受け得る遊技機会の上乗せを行う上乗せ演出の実行可否を決定する副遊技状態遷移手段と、
を備え、
前記当選種別抽選手段は、特定の当選種別である上乗せ付与当選種別を当選種別抽選により決定し、
前記副遊技状態遷移手段は、前記特定遊技状態中において、前記上乗せ付与当選種別の当選に応じて前記上乗せ演出の実行可否を決定し、該上乗せ演出の実行が決定された場合には、該特定遊技状態の遊技機会の上乗せ量の候補となる、前記複数の回転リールの数に対応する複数の上乗せ候補を決定し、
前記リール制御手段は、前記上乗せ演出の実行が決定された場合には、該上乗せ演出が実行される遊技において、前記複数の回転リールを仮停止させるとともに、該複数の回転リールのうちの１の回転リールを決定し、所定の回転リール回転条件が成立してから所定の回転待機期間経過後に、決定した１の回転リールと他の回転リールとを異なる態様で回転制御し、
前記演出実行手段は、前記上乗せ演出の実行が決定された場合には、該上乗せ演出が実行される遊技において、前記複数の上乗せ候補をそれぞれ前記複数の回転リールの位置に対応させて示す上乗せ候補部分画像を、画像表示部における該複数の回転リールそれぞれに対応する位置に表示し、前記複数の回転リールが仮停止しており、前記回転リール回転条件が成立するまで間、該上乗せ候補部分画像を移動表示させるための移動表示操作が操作部を介してなされると、該移動表示操作に応じて該上乗せ候補部分画像それぞれを該回転リールに対応する位置に移動表示させ、
前記副遊技状態遷移手段は、前記リール制御手段によって決定された１の回転リールが回転制御される際に、決定した１の回転リールに対応する位置に表示された前記上乗せ候補部分画像が示す上乗せ候補を前記遊技機会の上乗せ量として決定し、
前記回転待機期間は、1回の前記移動表示操作に応じた該上乗せ候補部分画像の移動表示の開始から終了までの移動表示期間以上の長さに設定されることを特徴とする遊技機。
【請求項２】
前記演出実行手段は、前記スタートスイッチの操作に応じて、前記画像表示部に表示される前記上乗せ候補部分画像の停止位置を確定させ、該確定させた停止位置で該上乗せ候補部分画像を停止表示させ、
前記演出実行手段が確定させた停止位置で前記上乗せ候補部分画像が停止表示される時より、前記スタートスイッチの操作に応じて、前記リール制御手段により決定された１の回転リールの回転制御の開始時の方が後であることを特徴とする請求項１に記載の遊技機。
【発明の詳細な説明】
【技術分野】
【０００１】
本発明は、遊技者に遊技上の利益を付与するか否かを抽選により決定する遊技機に関する。
【背景技術】
【０００２】
遊技機としてのスロットマシンでは、遊技者によるメダル（遊技媒体）のベットおよびスタートスイッチの操作に応じて、当選役の抽選を行うとともに、種々の図柄が記された複数の回転リールが回転する。そして、抽選結果と遊技者によるストップスイッチの操作に応じて回転リールが順次停止され、払い出しの対象となるラインである有効ライン上に、当選役に対応する図柄組み合わせが表示されると、所定枚数のメダルが払い出されるなど、当選役に応じた遊技上の利益（以下、単に遊技利益という）が遊技者に付与されることとなる。
【０００３】
また、スロットマシンでは、遊技の進行に際し、遊技者の有利度合いを異にする複数の遊技状態が設けられている。例えば、ストップスイッチの操作態様が、複数の操作態様のうちの所定の操作態様であること、すなわち、所定の操作順または所定の操作タイミングあるいはこれらの組み合わせであることが入賞条件として設定された当選役（以下、選択当選役という）に当選したときに、その選択当選役の入賞条件となる操作態様が報知されることで（以下、この報知を単に補助演出という）、当該選択当選役に対応する図柄組み合わせを、遊技者が有効ライン上に容易に表示させることができる、所謂、ＡＴ（アシストタイム）遊技が実行されるＡＴ遊技状態を設けているスロットマシンもある。また、リプレイ役の当選確率を予め高くし、ほぼ毎遊技、上記選択当選役またはリプレイ役が当選するように設定しておき、通常遊技状態では、補助演出を行わないことで遊技者のメダルを減少させ、ＡＴ遊技状態では、補助演出を行うことで当選した選択当選役を入賞させるようにして、遊技者のメダルを増加させる遊技性も取り入れられている。
【０００４】
また、ＡＴ遊技状態において、所定の当選役の当選に応じて、補助演出を実行する遊技数自体を追加する上乗せ抽選を行い、補助演出を実行する遊技数を追加することにより、メダルの獲得機会を増やす技術が開示されている（例えば、特許文献１）。
【先行技術文献】
【特許文献】
【０００５】
【特許文献１】特開２０１２−２００４４４号公報
【発明の概要】
【発明が解決しようとする課題】
【０００６】
ところで、補助演出の遊技数を上乗せする上乗せ演出では、回転リールのリール演出と、画像表示部に対する表示演出を組み合わせて上乗せ回数を決定する演出を行うことが考えられる。より具体的には、回転リールそれぞれに対応する位置に候補となる上乗せ回数を示す部分画像を表示し、回転リールを仮停止させている間に、演出スイッチに対する遊技者の移動表示操作に応じて部分画像を移動表示させる。その後、複数の回転リールのうち１の回転リールだけを回転させて、回転させた回転リールに対応する部分画像で示される上乗せ回数の候補を、上乗せ回数として決定する。
【０００７】
このような上乗せ演出では、１の回転リールの回転が開始する際に、画像表示部に表示されている部分画像の移動表示が終了していないと、回転リールのリール演出と、画像表示部に対する表示演出とが一致しないといった事象が生じるおそれがあり、不一致が生じた場合には演出効果が低下してしまうといった問題も生じる。
【０００８】
本発明は、このような課題に鑑み、回転リールのリール演出と画像表示部に対する表示演出との不一致を防止し、演出効果を向上することが可能な遊技機を提供することを目的としている。
【課題を解決するための手段】
【０００９】
上記課題を解決するために、本発明の遊技機は、遊技に関するコマンドを決定し、決定されたコマンドを送信する主制御基板と、主制御基板からコマンドを受信し、受信したコマンドに応じて処理を実行する副制御基板と、を備え、主制御基板と副制御基板とのコマンドを含む情報の交換が、主制御基板から副制御基板への一方向のみに制限された遊技機であって、主制御基板は、遊技に使用するための遊技媒体をベットするベット手段と、遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、スタートスイッチの操作に応じて、複数種類の図柄がそれぞれ配列された複数の回転リールを回転制御し、回転している回転リールに対応したストップスイッチの操作に応じ、当選種別抽選手段の抽選結果に基づいて、操作されたストップスイッチに対応する回転リールをそれぞれ停止制御するリール制御手段と、当選種別抽選で決定した小役の入賞に基づいて、小役に対応する遊技媒体を払い出す払出制御手段と、当選種別抽選手段の抽選結果を示す当選種別コマンドを含む複数のコマンドを決定するコマンド決定手段と、決定されたコマンドを副制御基板に送信するコマンド送信手段と、を備え、副制御基板は、ストップスイッチに対する複数の操作態様のうちの所定の操作態様である正解操作態様が入賞条件として設定された当選役と他の当選役とが重複した当選種別の当選に応じて正解操作態様を報知する補助演出を含む演出を実行する演出実行手段と、補助演出を行う特定遊技状態を含む複数の遊技状態から１の遊技状態を決定するとともに、特定遊技状態における該補助演出を受け得る遊技機会の上乗せを行う上乗せ演出の実行可否を決定する副遊技状態遷移手段と、を備え、当選種別抽選手段は、特定の当選種別である上乗せ付与当選種別を当選種別抽選により決定し、副遊技状態遷移手段は、特定遊技状態中において、上乗せ付与当選種別の当選に応じて上乗せ演出の実行可否を決定し、上乗せ演出の実行が決定された場合には、特定遊技状態の遊技期間の上乗せ量の候補となる、複数の回転リールの数に対応する複数の上乗せ候補を決定し、リール制御手段は、上乗せ演出の実行が決定された場合には、上乗せ演出が実行される遊技において、複数の回転リールを仮停止させるとともに、複数の回転リールのうちの１の回転リールを決定し、所定の回転リール回転条件が成立してから所定の回転待機期間経過後に、決定した１の回転リールと他の回転リールとを異なる態様で回転制御し、演出実行手段は、上乗せ演出の実行が決定された場合には、上乗せ演出が実行される遊技において、複数の上乗せ候補をそれぞれ複数の回転リールの位置に対応させて示す上乗せ候補部分画像を、画像表示部における複数の回転リールそれぞれに対応する位置に表示し、複数の回転リールが仮停止しており、回転リール回転条件が成立するまで間、上乗せ候補部分画像を移動表示させるための移動表示操作が操作部を介してなされると、移動表示操作に応じて上乗せ候補部分画像それぞれを該回転リールに対応する位置に移動表示させ、副遊技状態遷移手段は、リール制御手段によって決定された１の回転リールが回転制御される際に、決定した１の回転リールに対応する位置に表示された上乗せ候補部分画像が示す上乗せ候補を前記遊技機会の上乗せ量として決定し、回転待機期間は、1回の移動表示操作に応じた上乗せ候補部分画像の移動表示の開始から終了までの移動表示期間以上の長さに設定される。
【００１０】
また、演出実行手段は、スタートスイッチの操作に応じて、画像表示部に表示される上乗せ候補部分画像の停止位置を確定させ、確定させた停止位置で上乗せ候補部分画像を停止表示させ、演出実行手段が確定させた停止位置で上乗せ候補部分画像が停止表示される時より、スタートスイッチの操作に応じて、リール制御手段により決定された１の回転リールの回転制御の開始時の方が後であるようにしてもよい。
【発明の効果】
【００１１】
本発明によれば、回転リールのリール演出と画像表示部に対する表示演出との不一致を防止し、演出効果を向上することが可能となる。
【図面の簡単な説明】
【００１２】
【図１】スロットマシンの概略的な機械的構成を説明するための外観図である。
【図２】スロットマシンの概略的な機械的構成を説明するための前面扉を開いた状態での外観図である。
【図３】リールの図柄配列を示す図である。
【図４】スロットマシンの概略的な電気的構成を示したブロック図である。
【図５】有効ラインおよび仮想ラインを説明するための説明図である。
【図６】当選役を説明するための説明図である。
【図７】当選役を説明するための説明図である。
【図８】遊技状態の状態遷移を説明するための説明図である。
【図９】ボーナス成立遊技状態用当選種別抽選テーブルを示す図である。
【図１０】ボーナス非成立遊技状態用当選種別抽選テーブルを示す図である。
【図１１】遊技状態の状態遷移を説明するための説明図である。
【図１２】遊技状態抽選テーブルを示す図である。
【図１３】通常ＡＴ遊技状態における上乗せ演出を説明する説明図である。
【図１４】通常ＡＴ遊技状態における上乗せ演出を説明する説明図である。
【図１５】回転待機期間と移動表示期間との関係を示した説明図である。
【図１６】主制御基板のメイン処理を示したフローチャートである。
【図１７】抽選処理を示したフローチャートである。
【図１８】リール回転処理を示したフローチャートである。
【図１９】リール停止処理を示したフローチャートである。
【図２０】副制御基板のサブ処理を示したフローチャートである。
【図２１】コマンド受信処理を示したフローチャートである。
【図２２】抽選処理を示したフローチャートである。
【図２３】演出決定処理を示したフローチャートである。
【図２４】上乗せ演出実行処理を示したフローチャートである。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
本発明の実施形態の理解を容易にするため、まず、遊技者が遊技可能なスロットマシン（遊技機）の機械的構成および電気的構成を簡単に説明し、その後、スロットマシンの各基板における具体的な処理（役構成や遊技状態の変移）および本実施形態で特徴的な処理を説明し、これらを実現するためのフローチャートを詳述する。
【００１５】
（スロットマシン１００の機械的構成）
図１および図２の外観図に示すように、スロットマシン１００は、略矩形状の箱体である筐体１０２と、筐体１０２の前面開口部に対して回動可能な連結部材により開閉可能に取り付けられた前面上扉１０４と、前面上扉１０４の下方に位置し、前面上扉１０４同様、筐体１０２の前面開口部に対して開閉可能に取り付けられた前面下扉１０６と、前面下扉１０６の下部に位置し、メダル排出口１０８ａから払い出されたメダルを貯留するための受け皿部１０８とを備えている。
【００１６】
前面下扉１０６の上部には操作部設置台１２２が形成され、操作部設置台１２２には、メダル投入部１２４、ベットスイッチ１２６、スタートスイッチ１２８、ストップスイッチ１３０、演出スイッチ１３２等が配設されている。
【００１７】
操作部設置台１２２の右側に位置するメダル投入部１２４は、メダル投入口１２４ａを通じて遊技媒体としてのメダルの投入を受け付け、前面下扉１０６の背面に設けられたメダルセレクタ（図示せず）にメダルを送る。メダルセレクタには、メダルの投入が可能な投入期間外に投入されたメダルや規格外のメダルをメダル排出口１０８ａに導くブロッカー（図示せず）と、投入期間内に投入された規格内のメダルの通過を検出する投入メダル検出部１２４ｂとが設けられている。ここで、メダル排出口１０８ａに導かれたメダルは受け皿部１０８に排出される。遊技者により、１遊技を開始するために必要なメダルの投入数である規定投入数を超えてメダルが投入されると、その規定投入数を超えた分のメダルが、所定枚数（例えば５０枚）を上限としてスロットマシン１００の内部に電気的に貯留（以下、単にクレジットという）される。上記１遊技については後程詳述する。
【００１８】
ここで、また、ここでは、規定投入数は「３」または「２」に設定されている。なお、１遊技を開始するために必要なメダル数を、複数の規定投入数から任意に選択できる場合、その複数の規定投入数の中の最大のものを最大規定投入数といい、最小のものを最小規定投入数という。仮に、規定投入数が１〜３の間で選択可能な場合、最大規定投入数は「３」となり、最小規定投入数は「１」となる。ここでは、規定投入数が「３」に固定されているので、最大規定投入数および最小規定投入数は「３」となる。
【００１９】
ベットスイッチ１２６は、クレジットされているメダルのうち規定投入数のメダルを投入（ベット）する、押圧式のボタンスイッチである。規定投入数以上のメダルがクレジットされている状態で、ベットスイッチ１２６を押圧すると、１遊技が開始可能となるとともに、クレジットされているメダルが規定投入数分だけ減枚される。
【００２０】
操作部設置台１２２の左側に位置するスタートスイッチ１２８は、傾倒操作を検出可能なレバーで構成され、遊技者による１遊技の開始操作を検出する。また、スタートスイッチ１２８は、押圧操作を検出可能なボタンスイッチによって構成することも可能である。
【００２１】
前面上扉１０４の下部略中央には、ガラス板や透明樹脂板等で構成された無色透明の図柄表示窓１３６が設けられ、筐体１０２内の図柄表示窓１３６に対応した位置には、リールユニット１３４が設けられている。リールユニット１３４には、図３のリールの図柄配列に示すように、２１に等分された各領域に複数種類の図柄がそれぞれ配列された３つの回転リール（左リール１３４ａ、中リール１３４ｂ、右リール１３４ｃ）が、それぞれ独立して回動可能に設けられ、遊技者は、図柄表示窓１３６を通じて、左リール１３４ａ、中リール１３４ｂ、右リール１３４ｃを視認することができる。リールユニット１３４は、スタートスイッチ１２８の操作を契機として、左リール１３４ａ、中リール１３４ｂ、右リール１３４ｃの回転を開始する。
【００２２】
操作部設置台１２２の中央に位置するストップスイッチ１３０は、左リール１３４ａ、中リール１３４ｂ、右リール１３４ｃそれぞれに対応して設けられた、遊技者の押圧操作を検出可能なボタンスイッチであり、左リール１３４ａ、中リール１３４ｂ、右リール１３４ｃそれぞれを停止させようとする遊技者の停止操作を検出する。なお、ストップスイッチ１３０に係る３つのボタンスイッチを特にストップボタンスイッチとよび、その位置に応じて左から順にストップボタンスイッチ１３０ａ、ストップボタンスイッチ１３０ｂ、ストップボタンスイッチ１３０ｃとする。
【００２３】
演出スイッチ１３２は、押圧式のボタンスイッチと、その周囲に回転自在に配されたジョグダイヤルスイッチとから構成され、遊技者の押圧操作や回転操作を検出する。かかる演出スイッチ１３２は、主として演出中に用いられ、遊技者の操作によって演出態様を異ならせることができる。
【００２４】
前面上扉１０４の上部略中央には、演出に伴う様々な映像を表示する液晶表示部１３８が設けられている。また、前面上扉１０４の上部や左右には、例えば高輝度の発光ダイオード（ＬＥＤ）によって構成される演出用ランプ１４２が設けられる。
【００２５】
また、図２に示すように、前面上扉１０４の裏面における液晶表示部１３８の左右位置や前面下扉１０６の裏面における内面左右位置には、効果音や楽音等による聴覚的な演出を行うスピーカ１４０が設けられている。さらに、筐体１０２内におけるリールユニット１３４の下方には、メダル排出口１０８ａからメダルを払い出すためのメダル払出装置（メダルホッパー）２６４が設けられている。メダル払出装置２６４は、メダルを貯留するメダル貯留部２６４ａと、メダル貯留部２６４ａに貯留されたメダルをメダル排出口１０８ａから排出するための払出制御部２６４ｂと、メダル排出口１０８ａから排出されるメダルを検出する払出メダル検出部２６４ｃとを備えている。具体的に払出制御部２６４ｂは、当該払出制御部２６４ｂの本体外装に回転可能に支持され、メダル貯留部２６４ａから落下したメダルが上方より１枚ずつ嵌入するメダル嵌入孔を円周方向に複数配してなるディスク（図示せず）と、かかるディスクを回転するディスクモータ（図示せず）とを備え、このディスクを回転させて、メダル嵌入孔に嵌入したメダルを、押出機構を通じて１枚ずつ外部に排出するとともに、排出により空いたメダル嵌入孔に次のメダルを順次嵌入させることで、メダルを１枚ずつ連続排出する。
【００２６】
また、図１や図２では図示していないが、各回転リール１３４ａ、１３４ｂ、１３４ｃの内側には、左リール１３４ａ、中リール１３４ｂ、右リール１３４ｃそれぞれに施された図柄のうち、図柄表示窓１３６に対応する（有効ラインの対象となり得る）各回転リール１３４ａ、１３４ｂ、１３４ｃの上段、中段、下段の図柄を背面から個々に独立して照射するリールバックライト１４４（図４参照）が設けられている。また、図柄表示窓１３６の裏面上部にも左リール１３４ａ、中リール１３４ｂ、右リール１３４ｃ全ての正面を直接照射するリール上方ライト１４６が設けられている。
【００２７】
また、図１に示すように、操作部設置台１２２において、図柄表示窓１３６とストップスイッチ１３０との間に設けられた段部１２２ａの略水平面には、メインクレジット表示部１５２およびメイン払出表示部１５４が設けられている。また、図柄表示窓１３６と操作部設置台１２２との間には、サブクレジット表示部１５６およびサブ払出表示部１５８が設けられている。これらメインクレジット表示部１５２およびサブクレジット表示部１５６にはクレジット枚数が表示され、メイン払出表示部１５４およびサブ払出表示部１５８にはメダルの払出枚数が表示される。なお、サブクレジット表示部１５６およびサブ払出表示部１５８には、演出に伴う様々な数値を表示することもできる。
【００２８】
また、筐体１０２内の任意の位置には、電源スイッチ１４８が設けられている。電源スイッチ１４８は、ロッカースイッチ等、押圧操作を検出可能なスイッチで構成され、当該スロットマシン１００を管理する管理者側が操作し、電源の切断状態と電源の投入状態の２つの状態を切り換えるために用いられる。
【００２９】
なお、本実施形態において、上記１遊技は、メダル投入部１２４を通じたメダルの投入、ベットスイッチ１２６の操作を通じたクレジットされているメダルの投入、または、リプレイ役が有効ライン上に表示されたことに基づくメダルの自動投入のいずれかが行われてから、遊技者によるスタートスイッチ１２８の操作に応じて、複数の回転リール１３４ａ、１３４ｂ、１３４ｃが回転制御されるとともに当選種別抽選が実行され、当選種別抽選の抽選結果および遊技者による複数のストップボタンスイッチ１３０ａ、１３０ｂ、１３０ｃの操作に応じて、操作されたストップボタンスイッチ１３０ａ、１３０ｂ、１３０ｃに対応する回転リール１３４ａ、１３４ｂ、１３４ｃがそれぞれ停止制御され、メダルの払い出しを受け得る当選種別に入賞した場合、そのメダルの払い出しが実行されるまでの遊技をいう。また、メダルの払い出しを受け得る当選種別に非当選であった場合または当選したが入賞しなかった場合、回転リール１３４ａ、１３４ｂ、１３４ｃが全て停止したことをもって１遊技が終了する。ただし、１遊技の開始を、上記のメダルの投入、または、リプレイ役の当選の代わりに、遊技者によるスタートスイッチ１２８の操作と読み替えてもよい。また、かかる１遊技が繰り返された数を遊技数とする。
【００３０】
（スロットマシン１００の電気的構成）
図４は、スロットマシン１００の概略的な電気的構成を示したブロック図である。図４に示すように、スロットマシン１００は、主として、主制御基板２００と、副制御基板２０２とによって制御されている。ここでは、遊技の進行に関わるプログラムのうち、遊技に供する当選役の抽選やその入賞といったような、特に重要な処理を主制御基板２００で実行し、それ以外の例えば演出に関する処理を副制御基板２０２で実行している。また、図４に示したように、主制御基板２００と副制御基板２０２との間の電気的な信号の伝達は、不正防止等の観点から、主制御基板２００から副制御基板２０２への一方向のみに制限される。ただし、このような制限がなければ、電気的に双方向通信も技術的に可能である。
【００３１】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む各種半導体集積回路を有し、スロットマシン１００全体を統括的に制御する。ただし、メインＲＡＭ２００ｃには不図示のバックアップ電源が接続されており、電源が切断された場合においても、意図的にメインＲＡＭ２００ｃの初期化処理を実行しない限り、データが消去されることなく保持される。
【００３２】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選種別抽選手段３０４、リール制御手段３０６、判定手段３０８、払出制御手段３１０、主遊技状態遷移手段３１２、コマンド決定手段３１４、コマンド送信手段３１６、外部出力手段３１８等の機能部を有する。
【００３３】
初期化手段３００は、主制御基板２００における初期化処理を実行する。ベット手段３０２は、遊技に使用するためのメダルをベットする。ここで、ベットは、ベットスイッチ１２６の操作を通じてクレジットされているメダルを投入する場合と、メダル投入部１２４を通じてメダルを投入する場合と、リプレイ役が有効ライン上に表示されたことに基づいてメダルを自動投入する場合のいずれも含む。当選種別抽選手段３０４は、メダルのベットおよびスタートスイッチ１２８の操作に基づき、小役、リプレイ役、および、ボーナス役を含む複数種類の当選役から選択された１からなるまたは複数重複してなる複数種類の当選種別、ならびに、ハズレのうちいずれかを当選種別抽選により決定する。
【００３４】
リール制御手段３０６は、スタートスイッチ１２８の操作に応じて、複数の回転リール１３４ａ、１３４ｂ、１３４ｃを回転制御し、回転している回転リール１３４ａ、１３４ｂ、１３４ｃにそれぞれ対応した複数のストップボタンスイッチ１３０ａ、１３０ｂ、１３０ｃの操作に応じ、操作されたストップボタンスイッチ１３０ａ、１３０ｂ、１３０ｃに対応する回転リール１３４ａ、１３４ｂ、１３４ｃをそれぞれ停止制御する。また、リール制御手段３０６は、スタートスイッチ１２８の操作に応じて、当選種別抽選によって当選種別が決定されてから、当選種別抽選の抽選結果を表示するために遊技者によるストップスイッチ１３０の操作を有効化するまで（前回の遊技におけるストップスイッチ１３０の操作完了により無効化されている）の時間を規定の時間より延長し、その間、回転リール１３４ａ、１３４ｂ、１３４ｃを多彩な態様で回転させるリール演出（フリーズ演出）を行う場合がある。リール演出は、本来有効となるべき任意のスイッチを所定時間有効にしなかったり、本来実行されるべき処理を所定時間保留したり、本来送受信されるべき任意のスイッチの信号を所定時間送信または受信させなかったりすることで実現できる。
【００３５】
判定手段３０８は、当選種別抽選で決定した当選種別を構成するいずれか１の当選役に対応する図柄組み合わせが有効ライン上に表示されたか否か判定する。以下、当選種別抽選で決定した当選種別を構成するいずれか１の当選役に対応する図柄組み合わせが有効ライン上に表示されることを単に入賞という場合がある。払出制御手段３１０は、当選種別抽選で決定した当選種別を構成するいずれか１の当選役に対応する図柄組み合わせが有効ライン上に表示されたこと（入賞されたこと）に基づいて、当該当選役に対応する数だけメダルを払い出す。主遊技状態遷移手段３１２は、ボーナス役の当選や入賞に基づいて、主制御基板２００で管理する遊技状態を遷移させる。
【００３６】
コマンド決定手段３１４は、ベット手段３０２、当選種別抽選手段３０４、リール制御手段３０６、判定手段３０８、払出制御手段３１０、主遊技状態遷移手段３１２等の動作に伴う、遊技に関するコマンドを順次決定する。コマンド送信手段３１６は、コマンド決定手段３１４が決定したコマンドを副制御基板２０２に順次送信する。外部出力手段３１８は、スロットマシン１００の内部の状態を、信号（外部信号）を通じて外部に出力する。
【００３７】
主制御基板２００では、投入メダル検出部１２４ｂ、ベットスイッチ１２６、スタートスイッチ１２８およびストップスイッチ１３０から各種の検出信号を受信しており、受信した検出信号に基づいて、メインＣＰＵ２００ａが種々の処理を実行する。また、主制御基板２００には、メインクレジット表示部１５２およびメイン払出表示部１５４が接続されており、払出制御手段３１０が両表示部１５２、１５４に対してメダルのクレジット枚数や払出枚数の表示を制御する。
【００３８】
また、主制御基板２００には、リール駆動制御部２５８が接続されている。このリール駆動制御部２５８は、スタートスイッチ１２８の操作信号に基づき主制御基板２００から送信される各回転リール１３４ａ、１３４ｂ、１３４ｃの回転開始信号に基づいて、ステッピングモータ２６２を駆動するとともに、ストップスイッチ１３０の操作信号に基づき主制御基板２００から送信される、左リール１３４ａ、中リール１３４ｂ、右リール１３４ｃそれぞれの停止信号および回転位置検出回路２６０の検出信号に基づいて、ステッピングモータ２６２の駆動を停止する。
【００３９】
また、主制御基板２００には、メダル払出装置２６４が接続されている。主制御基板２００には払出メダル検出部２６４ｃの検出信号が入力されるようになっており、払出制御手段３１０は、その検出信号に応じてメダルの払出枚数を計数しながら払出制御部２６４ｂからのメダルの排出を制御する。
【００４０】
また、主制御基板２００には、乱数発生器２００ｄが設けられる。乱数発生器２００ｄは、計数値を順次インクリメントし、所定の数値範囲内でループさせ、所定の時点における計数値を抽出することで乱数を得る。主制御基板２００の乱数発生器２００ｄによって生成される乱数（以下、当選種別抽選乱数という）は、遊技者に付与する遊技利益、例えば、当選種別を決定するために用いられる。
【００４１】
（主制御基板２００で用いられるテーブル）
スロットマシン１００においては、遊技の進行に際して複数の遊技状態が設けられており、かかる遊技状態に対応する複数の当選種別抽選テーブル等がメインＲＯＭ２００ｂに格納されている。当選種別抽選手段３０４は、メインＲＡＭ２００ｃに記憶された現在の設定値（遊技利益を得る容易性を段階的に示したもの）と遊技状態に応じて、対応する当選種別抽選テーブルをメインＲＯＭ２００ｂから抽出し、抽出した当選種別抽選テーブルに基づき、スタートスイッチ１２８の操作信号に応じて取得された当選種別抽選乱数が当選種別抽選テーブル内のいずれの当選種別またはハズレに対応するか判定する。
【００４２】
ここで、当選種別抽選テーブルで抽出される当選種別を構成する当選役には、リプレイ役、小役、ボーナス役がある。このような当選役に対応する図柄組み合わせが、有効ライン上に揃った状態を表示（入賞）といい、当選役を含む当選種別に当選し、その当選役に対応する図柄組み合わせが表示されるまでの状態を内部当選状態とする。当選役のうちのリプレイ役は、そのリプレイ役に対応する図柄組み合わせが有効ライン上に表示されると、遊技者によるメダルの新たなるベットを行わずして再度１遊技を実行できる役であり、小役は、その小役に対応する図柄組み合わせが有効ライン上に表示されることにより、図柄組み合わせに応じて所定枚数のメダルの払い出しを受けることができる役である。また、ボーナス役は、そのボーナス役に対応する図柄組み合わせが有効ライン上に表示されることにより、遊技状態をボーナス遊技状態に移行させることができる当選役である。以下に、当選役および遊技者に付与される遊技利益について説明する。
【００４３】
図５は、有効ラインおよび仮想ラインを説明するための説明図であり、図６および図７は、当選役を説明するための説明図であり、図８は、遊技状態の状態遷移を説明するための説明図である。
【００４４】
図５（ａ）は、本実施形態における有効ラインを示している。本実施形態において、有効ラインは１本であり、具体的に、図柄表示窓１３６に臨む９つの図柄（３リール×上中下の３段）のうち、左リール１３４ａ、中リール１３４ｂ、右リール１３４ｃのそれぞれ中段に停止する図柄に対応する位置を結んだラインを有効ラインＡとして設定している。また、図５（ｂ）は、仮想ラインを示している。仮想ラインは、有効ラインＡ上に表示された図柄組み合わせのみでは当選役を把握しにくい場合に、当選役の把握を容易にする他の図柄組み合わせを表示するラインであり、本実施形態では、４つの仮想ラインを想定している。具体的に、左リール１３４ａの上段、中リール１３４ｂの上段、右リール１３４ｃの上段に停止する図柄に対応する位置を結んだラインを仮想ラインＢ１、左リール１３４ａの下段、中リール１３４ｂの下段、右リール１３４ｃの下段に停止する図柄に対応する位置を結んだラインを仮想ラインＢ２、左リール１３４ａの上段、中リール１３４ｂの中段、右リール１３４ｃの下段に停止する図柄に対応する位置を結んだラインを仮想ラインＣ１、左リール１３４ａの下段、中リール１３４ｂの中段、右リール１３４ｃの上段に停止する図柄に対応する位置を結んだラインを仮想ラインＣ２として設定している。ただし、仮想ラインＢ１、Ｂ２、Ｃ１、Ｃ２は、見かけ上、図柄が直線的に表示されるというだけで、あくまで当選役の入賞を判定するのは有効ラインＡのみである。
【００４５】
また、本実施形態においては、当選役として、図６に示すように、当選役「通常リプレイ」、「特殊リプレイ１」、「特殊リプレイ２」、「ビッグリプレイ」、「レギュラーリプレイ」（以下、かかる５つのリプレイを単に当選役「リプレイ」と略す場合がある）、「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」（以下、当選役「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」の１５個のベルを単に当選役「ベル」と略す場合がある）、「ビッグボーナス（以下、ＢＢという）」が設けられている。このうち、当選役「通常リプレイ」、「特殊リプレイ１」、「特殊リプレイ２」、「ビッグリプレイ」、「レギュラーリプレイ」が上記リプレイ役に相当し、当選役「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」が上記小役に相当し、当選役「ＢＢ」が上記ボーナス役に相当する。
【００４６】
（リプレイ役）
当選種別抽選の結果、当選役「リプレイ」（当選役「通常リプレイ」、「特殊リプレイ１」、「特殊リプレイ２」、「ビッグリプレイ」、「レギュラーリプレイ」のいずれか）が含まれる当選種別に当選し、入賞条件となる操作態様(ここでは操作順)で操作した場合には、その当選役に対応する１または複数の図柄組み合わせのうち、各回転リール１３４ａ、１３４ｂ、１３４ｃそれぞれに記される図柄が有効ラインＡ上に表示可能となり、上記したように、遊技者によるベットを行わずして再度１遊技を実行できる。例えば、当選種別抽選の結果、当選役「通常リプレイ」が含まれる当選種別に当選し、入賞条件となる操作態様で操作した場合には、図６に示した当選役「通常リプレイ」に対応する図柄組み合わせのうち、各回転リール１３４ａ、１３４ｂ、１３４ｃそれぞれに記される「リプレイＡ」図柄が、図７（ａ）のように有効ラインＡ上に表示可能となる。また、当選役「特殊リプレイ１」が含まれる当選種別に当選し、入賞条件となる操作態様で操作した場合には、図６に示した当選役「特殊リプレイ１」に対応する複数の図柄組み合わせのうち、例えば、図７（ｂ）のように、中リール１３４ｂに記される「ＢＡＲ」図柄が有効ラインＡ上に表示可能となり、右リール１３４ｃに記される「ＢＡＲ」図柄が有効ラインＡ上に表示可能となる。また、当選役「特殊リプレイ１」の左リール１３４ａの図柄は「ＡＮＹ」となっているので、有効ラインＡ上に表示される図柄がいずれであっても、当選役「特殊リプレイ１」の入賞に影響を及ぼさない。図７（ｂ）の例では、左リール１３４ａに記される「ＢＡＲ」図柄が有効ラインＡ上に表示され、有効ラインＡ上と仮想ラインＣ１上の両ラインに「ＢＡＲ」図柄が直線的に表示されている。また、当選役「特殊リプレイ２」が含まれる当選種別に当選し、入賞条件となる操作態様で操作した場合には、図６に示した当選役「特殊リプレイ２」に対応する複数の図柄組み合わせのうち、例えば、図７（ｃ）のように、左リール１３４ａに記される「ＢＡＲ」図柄が有効ラインＡ上に表示可能となり、中リール１３４ｂに記される「ベル」図柄が有効ラインＡ上に表示可能となり、右リール１３４ｃに記される「ＢＡＲ」図柄が有効ラインＡ上に表示可能となる。当選役「特殊リプレイ２」が含まれる当選種別に当選し、入賞条件となる操作態様で操作した場合、例えば、遊技者は、まず、右リール１３４ｃおよび左リール１３４ａに記される「ＢＡＲ」図柄を有効ラインＡ上に表示させ、その後、中リール１３４ｂに記される「ＢＡＲ」図柄を有効ラインＡ上に表示させれば当選役「特殊リプレイ１」の入賞可能性がある状況下で、「ＢＡＲ」図柄を狙っても、有効ラインＡ上に「ベル」図柄しか表示させることができない。
【００４７】
また、当選役「ビッグリプレイ」が含まれる当選種別に当選し、入賞条件となる操作態様で操作した場合に、図６に示した当選役「ビッグリプレイ」に対応する複数の図柄組み合わせのうち、例えば、ストップスイッチ１３０が押圧操作されたときに各回転リール１３４ａ、１３４ｂ、１３４ｃそれぞれに記される「赤７」図柄が引き込み範囲内に存在していれば、図７（ｄ）のように、各回転リール１３４ａ、１３４ｂ、１３４ｃそれぞれに記される「赤７」図柄が有効ラインＡ上に表示可能となる。このように有効ラインＡ上に「赤７」図柄が直線的に表示されることで、遊技者は、当選役「ビッグリプレイ」が含まれる当選種別に当選したことを容易に把握できる。また、当選役「レギュラーリプレイ」が含まれる当選種別に当選し、入賞条件となる操作態様で操作した場合には、図６に示した当選役「レギュラーリプレイ」に対応する複数の図柄組み合わせのうち、例えば、図７（ｅ）のように、左リール１３４ａに記される「リプレイＡ」図柄が有効ラインＡ上に表示可能となり、中リール１３４ｂに記される「赤７」図柄が有効ラインＡ上に表示可能となり、右リール１３４ｃに記される「赤７」図柄が有効ラインＡ上に表示可能となる。当選役「レギュラーリプレイ」が含まれる当選種別に当選し、入賞条件となる操作態様で操作した場合、例えば、遊技者は、まず、中リール１３４ｂおよび右リール１３４ｃに記される「赤７」図柄を有効ラインＡ上に表示させ、その後、左リール１３４ａに記される「赤７」図柄を有効ラインＡ上に表示させれば当選役「ビッグリプレイ」の入賞可能性がある状況下で、「赤７」図柄を狙っても、有効ラインＡ上に「リプレイＡ」図柄しか表示させることができない。図７（ｅ）の例では、有効ラインＡ上に表示された図柄組み合わせが「リプレイＡ」、「赤７」、「赤７」となっているが、仮想ラインＣ２上に表示された図柄組み合わせは「赤７」、「赤７」、「白７」となり、遊技者は、当選役「レギュラーリプレイ」が含まれる当選種別に当選したことを把握することとなる。
【００４８】
ここで、本実施形態においては、遊技者によってストップスイッチ１３０が押圧操作されたときに、当選役に対応する図柄組み合わせを構成する図柄が有効ラインＡ上にある場合には、リール制御手段３０６によって、当該図柄が有効ラインＡ上に停止するように停止制御がなされる。また、ストップスイッチ１３０が押圧操作されたときに、当選役に対応する図柄組み合わせを構成する図柄が、有効ラインＡ上にはないが、各回転リール１３４ａ、１３４ｂ、１３４ｃの回転方向と反対の方向の図柄４つ分に相当する範囲（引込範囲）内に存在している場合には、リール制御手段３０６によって、離れている図柄数が滑りコマ数となり、当該当選役に対応する図柄組み合わせを構成する図柄を有効ラインＡ上に引き込むように滑りコマ数分回転を維持した後に停止するように停止制御がなされる。また、当選役に対応する図柄が各回転リール１３４ａ、１３４ｂ、１３４ｃ中に複数あり、いずれも各回転リール１３４ａ、１３４ｂ、１３４ｃの引込範囲内に存在している場合には、予め定められた優先順位に従っていずれの図柄を有効ラインＡ上に引き込むか決定され、当該優先された図柄を有効ラインＡ上に引き込むように滑りコマ数分回転を維持した後に停止するように停止制御がなされる。このように、単に「停止制御」や「表示可能」と言った場合、当選役に対応する図柄組み合わせを構成する図柄を停止させるのみならず、引込範囲内で当選役に対応する図柄組み合わせを構成する図柄を引き込んで停止するといった処理を含む。なお、ストップスイッチ１３０が押圧操作されたときに、当選役に対応する図柄組み合わせを構成する図柄以外の図柄が有効ラインＡ上にある場合には、リール制御手段３０６によって、その図柄を有効ラインＡ上に停止させないようにする、所謂蹴飛ばし処理も並行して実行される。また、後述するように、当選種別を構成する当選役に操作態様（操作順や操作タイミング）が入賞条件として設定されている場合、リール制御手段３０６は、遊技者の操作態様にも応じて当選役に対応する図柄組み合わせを有効ラインＡ上に表示可能に停止制御する。
【００４９】
そして、各回転リール１３４ａ、１３４ｂ、１３４ｃにおいては、当選役「リプレイ」に対応する１または複数の図柄組み合わせを構成する１または複数の図柄が、上記の停止制御によって、必ず有効ラインＡ上に表示可能なように配置されている（図３および図６参照）。例えば、当選役「通常リプレイ」に対応する図柄組み合わせを構成する１または複数の図柄同士は、各回転リール１３４ａ、１３４ｂ、１３４ｃ内で最大図柄４つ分しか離隔していないので、停止制御によって必ず有効ラインＡ上に表示することができる。このように、当選役「リプレイ」が含まれる当選種別に当選し、入賞条件となる操作態様で操作した場合には、これら当選役「リプレイ」に対応するいずれかの図柄組み合わせが、必ず、有効ラインＡ上に表示されることとなる。このようにして、当選役「リプレイ」に対応する図柄組み合わせが有効ラインＡ上に表示された場合には、メダルを投入することなく次回の１遊技を開始することが可能となる。
【００５０】
なお、詳しくは後述するが、当選役「リプレイ」が含まれる当選種別に当選した場合の停止制御は、その当選態様（例えば、当選役「通常リプレイ」が単独で当選したか、他の当選役（例えば、当選役「ビッグリプレイ」）と重複当選したか、さらには他のいずれかの当選役と重複当選したか等）によって異なるように設定されている。したがって、その当選態様および操作態様に応じて、重複当選した当選役「リプレイ」（当選役「通常リプレイ」、「特殊リプレイ１」、「特殊リプレイ２」、「ビッグリプレイ」、「レギュラーリプレイ」）のいずれかの当選役に対応する図柄組み合わせが有効ラインＡ上に表示されることとなる。
【００５１】
なお、上述したように、当選役「ビッグリプレイ」や当選役「レギュラーリプレイ」が含まれる当選種別が当選した場合には、これら当選役に対応するいずれかの図柄組み合わせが、必ず、有効ラインＡ上に表示されることとなる。ただし、図３を参照して理解できるように、「赤７」図柄や「白７」図柄は、各回転リール１３４ａ、１３４ｂ、１３４ｃに１つずつしか配置されていないので、当選役「ビッグリプレイ」や当選役「レギュラーリプレイ」に対応する複数の図柄組み合わせのうち１の図柄組み合わせが有効ラインＡ上に表示された場合に、有効ラインＡまたは仮想ラインＢ１、Ｂ２、Ｃ１、Ｃ２上に「赤７」図柄や「白７」図柄が停止するとは限らない。すなわち、当選役「ビッグリプレイ」や当選役「レギュラーリプレイ」が含まれる当選種別が当選した場合に、入賞条件となる操作順で操作したとしても、ストップスイッチ１３０を無作為な位置で停止操作すると、「赤７」図柄や「白７」図柄が有効ラインＡまたは仮想ラインＢ１、Ｂ２、Ｃ１、Ｃ２上に表示されない場合があり、入賞した当選役が、当選役「ビッグリプレイ」や当選役「レギュラーリプレイ」であることを容易に把握できない場合がある。
【００５２】
（小役）
また、当選種別抽選の結果、当選役「チェリー」が含まれる当選種別「チェリー」に当選した場合には、図６に示した、当選役「チェリー」に対応する図柄組み合わせのうち、例えば、図７（ｆ）のように、左リール１３４ａに記される「白７」図柄が有効ラインＡ上に表示可能となり、中リール１３４ｂに記される「チェリー」図柄が有効ラインＡ上に表示可能となる。また、右リール１３４ｃについては「ＡＮＹ」となっているので、いずれの図柄が有効ラインＡ上に表示されてもよい。図７（ｆ）の例では、有効ラインＡ上に表示された図柄組み合わせは「白７」、「チェリー」、「リプレイＡ」となっているが、仮想ラインＣ２上に表示された図柄組み合わせは「チェリー」、「チェリー」、「スイカＡ」となっており、遊技者は、当選役「チェリー」が含まれる当選種別「チェリー」に当選したことを容易に把握できる。ただし、各回転リール１３４ａ、１３４ｂ、１３４ｃにおいては、当選役「チェリー」に対応する図柄組み合わせを構成する図柄が、上記の停止制御によっても、有効ラインＡ上に表示されない場合があるように配置されている。そのため、当選役「チェリー」が含まれる当選種別「チェリー」に当選したとしても、所謂取りこぼしが生じることがあり、遊技者は、当選役「チェリー」に対応する図柄組み合わせを必ずしも有効ラインＡ上に表示させられるとは限らない。
【００５３】
当選種別抽選の結果、当選役「ベル」（当選役「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」のいずれか）が含まれる当選種別に当選した場合には、その当選役に対応する１または複数の図柄組み合わせのうち、各回転リール１３４ａ、１３４ｂ、１３４ｃそれぞれに記される１または複数の図柄が有効ラインＡ上に表示可能となり、当選役「ベル」に対応する図柄組み合わせが有効ラインＡ上に表示された場合には、各当選役に対応した枚数のメダルが遊技者に払い出される。例えば、当選種別抽選の結果、当選役「通常ベル」が含まれる当選種別に当選し、入賞条件（後述する当選役「通常ベル」に対応付けられた操作順での操作）を満たした場合には、当選役「通常ベル」に対応する図柄組み合わせのうち、図６に示した、各回転リール１３４ａ、１３４ｂ、１３４ｃそれぞれに記される「ベル」図柄が、図７（ｇ）のように有効ラインＡ上に表示可能となる。また、当選種別抽選の結果、当選役「共通ベル」が含まれる当選種別に当選した場合には、図６に示した、当選役「共通ベル」に対応する図柄組み合わせのうち、例えば、図７（ｈ）のように、左リール１３４ａに記される「リプレイＡ」図柄が有効ラインＡ上に表示可能となり、中リール１３４ｂに記される「ベル」図柄が有効ラインＡ上に表示可能となり、右リール１３４ｃに記される「チェリー」図柄が有効ラインＡ上に表示可能となる。図７（ｈ）の例では、有効ラインＡ上に表示された図柄組み合わせは「リプレイＡ」、「ベル」、「チェリー」となっているが、仮想ラインＣ１上に表示された図柄組み合わせは「ベル」、「ベル」、「ベル」となっており、遊技者は、当選役「共通ベル」が含まれる当選種別に当選したことを容易に把握できる。ここで、当選役「通常ベル」および当選役「共通ベル」に対応する図柄組み合わせを構成する１または複数の図柄同士は、各回転リール１３４ａ、１３４ｂ、１３４ｃ内で最大図柄４つ分しか離隔していないので、上記の停止制御によって、必ず有効ラインＡ上に表示可能なように配置されている（図３および図６参照）。ただし、当選役「通常ベル」は、当選役「共通ベル」より、払出枚数が多くなるように設定されている（例えば、当選役「通常ベル」＝９枚、当選役「共通ベル」＝１枚）。
【００５４】
また、当選役「特殊ベル１」〜「特殊ベル１３」が含まれる当選種別に当選し、特定の条件（当選役「特殊ベル１」〜「特殊ベル１３」に対応付けられた操作順での操作）を満たした場合には、図６に示した、当選役「特殊ベル１」〜「特殊ベル１３」に対応する複数の図柄組み合わせのうち、例えば、「特殊ベル１」に対応する図柄組み合わせを例に挙げると、図７（ｉ）のように、左リール１３４ａに記される「スイカＡ」図柄が有効ラインＡ上に表示可能となり、中リール１３４ｂに記される「ベル」図柄が有効ラインＡ上に表示可能となり、右リール１３４ｃに記される「リプレイＡ」図柄が有効ラインＡ上に表示可能となる。各回転リール１３４ａ、１３４ｂ、１３４ｃにおいては、当選役「特殊ベル１」に対応する複数の図柄組み合わせを構成する１または複数の図柄が、上記の停止制御によって、必ず有効ラインＡ上に表示可能なように配置されている（図３および図６参照）。したがって、当選役「特殊ベル１」が含まれる当選種別に当選し、特定の条件（当選役「特殊ベル１」に対応付けられた操作順での操作）を満たした場合には、当選役「特殊ベル１」に対応するいずれかの図柄組み合わせが、必ず、有効ラインＡ上に表示されることとなる。
【００５５】
また、当選役「特殊ベル２」〜「特殊ベル１３」に対応する複数の図柄組み合わせのうち、当選役「特殊ベル２」に対応する図柄組み合わせを例に挙げると、図６に示すように、かかる図柄組み合わせを構成する左リール１３４ａの図柄は「赤７」または「スイカＢ」であり、中リール１３４ｂの図柄は、「赤７」または「リプレイＡ」であり、右リール１３４ｃの図柄は「ベル」である。したがって、左リール１３４ａについては、図３における２１図柄のうち図柄番号３から１１までの間といった図柄９つ分に相当する範囲で停止制御が実行されれば「赤７」または「スイカＢ」図柄を有効ラインＡ上に表示させることができる。また、中リール１３４ｂについては、図３における２１図柄のうち図柄番号１から１１までの間または図柄番号２１といった図柄１２個分に相当する範囲で停止制御が実行されれば「赤７」または「リプレイＡ」図柄を有効ラインＡ上に表示させることができる。また、右リール１３４ｃについては、上記の停止制御により、「ベル」図柄が必ず有効ラインＡ上に表示可能なように配置されている。したがって、例えば、上記の当選役「特殊ベル２」が含まれる当選種別に当選した場合において、遊技者が無作為に操作した場合に当選役「特殊ベル２」に対応するいずれかの図柄組み合わせを有効ラインＡ上に表示させることができる確率は、約１／４（９／２１×１２／２１×２１／２１）となる。同様の計算により、当選役「特殊ベル３」〜「特殊ベル５」に対応する図柄組み合わせを有効ラインＡ上に表示させることができる確率は約１／４となり、当選役「特殊ベル６」〜「特殊ベル１３」に対応する図柄組み合わせを有効ラインＡ上に表示させることができる確率は約１／８となる。したがって、遊技者は、当選役「特殊ベル２」〜「特殊ベル１３」に対応する図柄組み合わせを必ずしも有効ラインＡ上に表示させられるとは限らない。
【００５６】
また、当選役「特殊ベル１」〜「特殊ベル１３」は、当選役「通常ベル」より、払出枚数が少なく設定されている（例えば、当選役「通常ベル」＝９枚、当選役「特殊ベル１」〜「特殊ベル１３」＝１枚）。したがって、後述するようにストップボタンスイッチ１３０ａ、１３０ｂ、１３０ｃの操作が制限されて、例えば、当選役「特殊ベル６」〜「特殊ベル１３」のいずれかに対応する図柄組み合わせしか有効ラインＡ上に表示させることができない場合、すなわち、その操作の下では当選役「特殊ベル６」〜「特殊ベル１３」しか入賞しない場合、規定投入数「３」に対して最大１枚の払出枚数（期待獲得枚数は１／８枚）しか得ることができず、遊技の進行に応じてメダルは減ることとなる。一方で、ストップボタンスイッチ１３０ａ、１３０ｂ、１３０ｃの操作が制限されることなく補助演出が実行されると、当選役「通常ベル」に対応する図柄組み合わせを有効ラインＡ上に表示させることができるので、規定投入数「３」に対して９枚の払出枚数を得る遊技を実現でき、当選役「通常ベル」の当選確率を高めることで遊技の進行に応じてメダルを増やすことができる。
【００５７】
なお、詳しくは後述するが、本実施形態においては、当選役「通常ベル」が単独で当選することがなく、必ず他の当選役（例えば、当選役「特殊ベル１」および当選役「特殊ベル６」）と重複当選するので、その重複当選の当選態様によって停止制御が異なるように設定されている。したがって、各回転リール１３４ａ、１３４ｂ、１３４ｃにおいては、「ベル」図柄が、必ず有効ラインＡ上に表示可能なように配置されている（図３および図６参照）ものの、当選役「通常ベル」が含まれる当選種別に当選しても、その当選態様によっては、取りこぼすことがあり、遊技者は、当選役「通常ベル」に対応する図柄組み合わせを必ずしも有効ラインＡ上に表示させられるとは限らない。
【００５８】
（ボーナス役）
また、当選種別抽選の結果、当選役「ＢＢ」が含まれる当選種別「ＢＢ」に当選した場合には、図６に示した、当選役「ＢＢ」に対応する図柄組み合わせである、図７（ｊ）のように、左リール１３４ａに記される「ＢＡＲ」図柄が有効ラインＡ上に表示可能となり、中リール１３４ｂに記される「ＢＡＲ」図柄が有効ラインＡ上に表示可能となり、右リール１３４ｃに記される「チェリー」図柄が有効ラインＡ上に表示可能となる。そして、当選役「ＢＢ」に対応する図柄組み合わせが有効ラインＡ上に表示されると、ボーナス遊技フラグがＯＮすることで、遊技状態がボーナス遊技状態に設定され、次の１遊技（以下、単に次遊技という）以降、メダルが所定枚数（例えば２６枚）払い出されるまで、ボーナス遊技状態にて遊技を実行することが可能となる。なお、各回転リール１３４ａ、１３４ｂ、１３４ｃにおいては、それぞれ「ＢＡＲ」、「ＢＡＲ」、「チェリー」図柄が、上記の停止制御によっても、有効ラインＡ上に表示されない場合があるように配置されている（図３および図６参照）。そのため、当選役「ＢＢ」が含まれる当選種別「ＢＢ」に当選したとしても、遊技者は、当選役「ＢＢ」に対応する図柄組み合わせを必ずしも有効ラインＡ上に表示させられるとは限らない。
【００５９】
なお、いずれかの当選種別に当選すると、それぞれの当選種別に対応する内部当選フラグが成立（ＯＮ）するとともに、この内部当選フラグの成立状況に応じて、左リール１３４ａ、中リール１３４ｂ、右リール１３４ｃそれぞれの停止制御がなされることとなる。このとき、小役が含まれる当選種別に当選したものの、これら当選役に対応する図柄組み合わせを、その１遊技で有効ラインＡ上に表示させることができなかった場合には、当該遊技において内部当選フラグがＯＦＦされる。つまり、小役の当選の権利は小役が含まれる当選種別が当選した当該遊技のみに限られ、当該権利を次遊技に持ち越すことはできない。これに対して、当選役「ＢＢ」（ボーナス役）が含まれる当選種別「ＢＢ」に当選した場合には、ＢＢ内部当選フラグが成立（ＯＮ）するとともに、当選役「ＢＢ」に対応する図柄組み合わせが有効ラインＡ上に表示されるまで、ＢＢ内部当選フラグが遊技を跨いで持ち越される。
【００６０】
主制御基板２００で管理している遊技状態の遷移と合わせて具体的に説明すると、ＢＢ内部当選フラグが成立すると、ＢＢ内部当選フラグの成立状況に応じて、図８の（１）に示すように、主制御基板２００で管理している遊技状態が、ボーナス役が含まれる当選種別「ＢＢ」に当選していないボーナス非成立遊技状態から、ボーナス遊技状態の準備状態に相当するボーナス成立遊技状態となり、ボーナス成立遊技状態に基づいて左リール１３４ａ、中リール１３４ｂ、右リール１３４ｃそれぞれの停止制御がなされる。このとき、当選役「ＢＢ」に対応する図柄組み合わせを有効ラインＡ上に表示させることができなかった場合には、そのままＢＢ内部当選フラグが次遊技に持ち越され（ボーナス成立遊技状態が維持され）、次回以降の遊技においても当選役「ＢＢ」に対応する図柄組み合わせを有効ラインＡ上に表示させることが可能となる。そして、遊技者が、当選役「ＢＢ」に対応する図柄組み合わせを有効ラインＡ上に表示させると、図８の（２）に示すように、主制御基板２００で管理している遊技状態がボーナス成立遊技状態からボーナス遊技状態に遷移する。また、ボーナス遊技状態において、メダルが所定枚数払い出されると、図８の（３）に示すように、主制御基板２００で管理している遊技状態が、ボーナス遊技状態からボーナス非成立遊技状態に遷移する。ただし、図８の（４）に破線の矢印で示すように、ボーナス非成立遊技状態における当選役「ＢＢ」が成立した遊技で、当選役「ＢＢ」に対応する図柄組み合わせを有効ラインＡ上に表示させた場合、ボーナス成立遊技状態を経由せず、直接、ボーナス遊技状態に遷移する。
【００６１】
なお、リプレイ役である当選役「リプレイ」が含まれる当選種別に対応する内部当選フラグが成立した場合には、その当選役に対応する図柄組み合わせが必ず有効ラインＡ上に表示され、メダルを要することなく次遊技を行うために必要となる処理が行われた後に、当該内部当選フラグがＯＦＦされる。
【００６２】
（当選種別抽選テーブル）
図９および図１０は、当選種別抽選乱数を判定する場合に用いられる当選種別抽選テーブルを示す図であり、図９は、上述したボーナス成立遊技状態において用いられるボーナス成立遊技状態用当選種別抽選テーブルを示し、図１０は、ボーナス非成立遊技状態において用いられるボーナス非成立遊技状態用当選種別抽選テーブルを示している。当選種別抽選テーブルでは、複数の当選領域が区画されており、各遊技状態によって抽選の対象となる当選種別が異なったり、ハズレ（不当選）の有無が異なったりする。区画化された各当選領域にはそれぞれ所定の当選範囲値（置数）と当選種別が対応付けられており、遊技状態毎に割り当てられた全ての当選領域の当選範囲値を合計すると当選種別抽選乱数の総数（６５５３６）となる。したがって、当選種別それぞれが決定される確率は、当選領域に対応付けられた当選範囲値を当選種別抽選乱数の総数で除算した値となる。当選種別抽選手段３０４は、その時点の遊技状態に基づいて、当該当選種別抽選テーブルにおける複数の当選領域から、順次、当選範囲値を取得し、その当選範囲値を当選種別抽選乱数から減算して、その減算値が０未満となると、その時点の当選領域に対応付けられた当選種別を抽選結果としている。当該抽選の手順は、他の抽選においても適用できる。
【００６３】
図９のボーナス成立遊技状態用当選種別抽選テーブルによれば、当選領域１には、当選種別「通常リプレイ」が対応付けられており、当該当選種別「通常リプレイ」の当選に応じて当選役「通常リプレイ」に対応する図柄組み合わせを有効ラインＡ上に表示させることができる。
【００６４】
また、当選種別抽選テーブルによれば、複数の当選役が重複した当選種別に当選することがある。例えば、当選領域２には、当選役「通常リプレイ」、「特殊リプレイ１」が重複した当選種別「特殊リプレイ１」が対応付けられ、当選領域３には、当選役「通常リプレイ」、「特殊リプレイ２」が重複した当選種別「特殊リプレイ２」が対応付けられ、当選領域４には、当選役「通常リプレイ」、「ビッグリプレイ」が重複した当選種別「ボーナスリプレイ１」が対応付けられ、当選領域５には、当選役「通常リプレイ」、「レギュラーリプレイ」が重複した当選種別「ボーナスリプレイ２」が対応付けられている。ここで、ボーナス図柄（ここでは、「赤７」図柄や「白７」図柄）が図柄表示窓１３６内で直線的に表示される停止態様となる図柄組み合わせを含む複数の図柄組み合わせが対応付けられたボーナス当選役は、当選役「レギュラーリプレイ」や当選役「ビッグリプレイ」であり、かかるボーナス当選役と他の当選役とが重複したボーナス当選種別は、当選種別「ボーナスリプレイ１」や当選種別「ボーナスリプレイ２」である。このように、複数の当選役が重複して当選した場合には、いずれの当選役に対応する図柄組み合わせを有効ラインＡ上に表示させるかについての入賞条件、例えば、ストップボタンスイッチ１３０ａ、１３０ｂ、１３０ｃが操作される順番が設定されている。
【００６５】
以下の説明において、左リール１３４ａ、中リール１３４ｂ、右リール１３４ｃの順に回転リールを停止させるストップボタンスイッチ１３０ａ、１３０ｂ、１３０ｃの操作を「打順１」とし、左リール１３４ａ、右リール１３４ｃ、中リール１３４ｂの順に回転リールを停止させるストップボタンスイッチ１３０ａ、１３０ｂ、１３０ｃの操作を「打順２」とし、中リール１３４ｂ、左リール１３４ａ、右リール１３４ｃの順に回転リールを停止させるストップボタンスイッチ１３０ａ、１３０ｂ、１３０ｃの操作を「打順３」とし、中リール１３４ｂ、右リール１３４ｃ、左リール１３４ａの順に回転リールを停止させるストップボタンスイッチ１３０ａ、１３０ｂ、１３０ｃの操作を「打順４」とし、右リール１３４ｃ、左リール１３４ａ、中リール１３４ｂの順に回転リールを停止させるストップボタンスイッチ１３０ａ、１３０ｂ、１３０ｃの操作を「打順５」とし、右リール１３４ｃ、中リール１３４ｂ、左リール１３４ａの順に回転リールを停止させるストップボタンスイッチ１３０ａ、１３０ｂ、１３０ｃの操作を「打順６」とする。
【００６６】
例えば、ボーナス成立遊技状態において、当選領域２に対応する当選種別「特殊リプレイ１」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「特殊リプレイ１」に対応する図柄組み合わせが有効ラインＡ上に表示されるように停止制御がなされる。したがって、当選種別「特殊リプレイ１」に当選すると、図７（ｂ）に示したように、有効ラインＡ上と仮想ラインＣ１上の両ラインに「ＢＡＲ」図柄を直線的に表示することができる。また、当選領域３に対応する当選種別「特殊リプレイ２」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「特殊リプレイ２」に対応する図柄組み合わせが有効ラインＡ上に表示されるように停止制御がなされる。したがって、当選種別「特殊リプレイ２」に当選すると、図７（ｃ）に示したように、有効ラインＡ上と仮想ラインＣ１上の両ラインに右リール１３４ｃおよび左リール１３４ａに記される「ＢＡＲ」図柄を表示することができるが、中リール１３４ｂに記される「ＢＡＲ」図柄を表示することはできない。かかる当選役「特殊リプレイ１」と当選役「特殊リプレイ２」とは、遊技者に対し、回転リール１３４ａ、１３４ｂ、１３４ｃを通じて何らかの遊技利益を付与したことを把握させるために用いられる。
【００６７】
ここで、上記した通り、当選種別「特殊リプレイ１」に当選した場合には、その図柄配列上、いずれのタイミングでストップボタンスイッチ１３０ａ、１３０ｂ、１３０ｃを押圧操作したとしても、重複するいずれかの当選役に対応する図柄組み合わせが、必ず、有効ラインＡ上に表示されることとなる。したがって、遊技者が、左リール１３４ａ、中リール１３４ｂ、右リール１３４ｃのいずれを最初に停止するようにストップボタンスイッチ１３０ａ、１３０ｂ、１３０ｃを操作したとしてもリプレイ役に対応する図柄組み合わせを有効ラインＡ上に表示することは可能であるが、その停止順により表示される図柄の組み合わせが異なることとなる。
【００６８】
このようなリプレイ役が重複した当選種別に当選した場合、副制御基板２０２は、補助演出を通じて重複当選した複数の当選役のいずれかに対応する図柄組み合わせを有効ラインＡ上に表示させることができる。すなわち、本来、回転リール１３４ａ、１３４ｂ、１３４ｃの制御を行っていない副制御基板２０２が、回転リール１３４ａ、１３４ｂ、１３４ｃの停止態様を操作することが可能となる。また、主制御基板２００では、その停止態様を判定することで、主制御基板２００で管理している遊技状態と並行して副制御基板２０２で管理している遊技状態（ボーナス遊技状態等）や様々な内部状態が変化したことを把握することが可能となる。
【００６９】
また、当選領域４に対応する当選種別「ボーナスリプレイ１」が当選種別抽選により決定され、左リール１３４ａ、中リール１３４ｂ、右リール１３４ｃのうち、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「ビッグリプレイ」に対応する図柄組み合わせが有効ラインＡ上に表示されるように停止制御がなされる。
【００７０】
また、当選領域５に対応する当選種別「ボーナスリプレイ２」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「レギュラーリプレイ」に対応する図柄組み合わせが有効ラインＡ上に表示されるように停止制御がなされる。
【００７１】
また、当選領域６には、当選種別「チェリー」が対応付けられており、当該当選種別「チェリー」の当選に応じて、図７（ｆ）に示したように、当選役「チェリー」に対応する図柄組み合わせを有効ラインＡ上に表示させることができる。また、当選領域７には、当選種別「共通ベル」が対応付けられており、当選種別「共通ベル」の当選に応じて、図７（ｈ）に示したように、当選役「共通ベル」に対応する図柄組み合わせを有効ラインＡ上に表示させることができる。
【００７２】
また、当選領域８には、当選役「通常ベル」、「特殊ベル１」、「特殊ベル６」が重複した当選種別「打順ベル中１」が対応付けられている。かかる重複当選においても、いずれの当選役に対応する図柄組み合わせを有効ラインＡ上に表示させるかについての入賞条件、例えば、ストップボタンスイッチ１３０ａ、１３０ｂ、１３０ｃが操作される順番が設定されている。
【００７３】
例えば、ボーナス成立遊技状態において、当選領域８に対応する当選種別「打順ベル中１」が当選種別抽選により決定され、左リール１３４ａが第１停止するようにストップボタンスイッチ１３０ａ、１３０ｂ、１３０ｃが操作された場合（打順１または打順２）、当選役「特殊ベル６」に対応する図柄組み合わせが有効ラインＡ上に表示されるように停止制御がなされる。また、左リール１３４ａ、中リール１３４ｂ、右リール１３４ｃのうち、中リール１３４ｂが第１停止、左リール１３４ａが第２停止するようにストップボタンスイッチ１３０ａ、１３０ｂ、１３０ｃが操作された場合（打順３）、当選役「通常ベル」に対応する図柄組み合わせが有効ラインＡ上に表示されるように停止制御がなされる。また、中リール１３４ｂが第１停止、右リール１３４ｃが第２停止するようにストップボタンスイッチ１３０ａ、１３０ｂ、１３０ｃが操作された場合（打順４）、または、右リール１３４ｃが第１停止するようにストップボタンスイッチ１３０ａ、１３０ｂ、１３０ｃが操作された場合（打順５または打順６）、当選役「特殊ベル１」に対応する図柄組み合わせが有効ラインＡ上に表示されるように停止制御がなされる。
【００７４】
ここで、上記した通り、当選役「通常ベル」は、その図柄配列上、いずれのタイミングでストップボタンスイッチ１３０ａ、１３０ｂ、１３０ｃを押圧操作したとしても、これら当選役に対応するいずれかの図柄組み合わせが、必ず、有効ラインＡ上に表示されることとなる。そして、当選役「通常ベル」の払出枚数は９枚である。これに対し、当選役「特殊ベル６」や当選役「特殊ベル１」は、メダルの払出枚数が１枚と少なく、さらに、当選役「特殊ベル１」は、その図柄配列上、いずれのタイミングでストップボタンスイッチ１３０ａ、１３０ｂ、１３０ｃを押圧操作したとしても、これら当選役に対応するいずれかの図柄組み合わせが、必ず、有効ラインＡ上に表示されるものの、当選役「特殊ベル６」は、遊技者が無作為に操作した場合に当該当選役「特殊ベル６」に対応するいずれかの図柄組み合わせを有効ラインＡ上に表示させることができる確率は約１／８と低い。したがって、期待獲得枚数は、当選役「通常ベル」>当選役「特殊ベル１」>当選役「特殊ベル６」となる。
【００７５】
そして、当選種別抽選テーブルの当選領域８〜２３全てにおいて、当選役「通常ベル」と、当選役「特殊ベル１」〜当選役「特殊ベル５」のいずれか１または２の当選役と、当選役「特殊ベル６」〜当選役「特殊ベル１３」のいずれか１の当選役が重複当選するようになっており、当選役「通常ベル」を入賞させるための停止操作が当選領域によって異なるように設定されている。なお、当選領域８〜２３の当選確率（当選範囲値の数）は等しくなるように設定されている。遊技者は、通常、いずれの当選種別に当選しているのかを知ることができないため、上記のような当選領域８〜２３を設けることにより、選択当選役としての当選役「通常ベル」を入賞させることが極めて難しくなっている。ただし、このようなストップボタンスイッチ１３０ａ、１３０ｂ、１３０ｃの操作順に応じて遊技者の遊技利益が異なる当選種別に当選した場合においても、遊技者は、副制御基板２０２による補助演出を通じて当選役「通常ベル」を入賞し得る操作態様（以下、この操作態様を正解操作態様という。）を把握することで、特定の当選役「通常ベル」に対応する図柄組み合わせを有効ラインＡ上に表示させ、通常遊技状態より多くのメダルを獲得することが可能となる。こうして補助演出の有無によって遊技の進行に応じてメダルが増え易いＡＴ遊技状態（後述する通常ＡＴ遊技状態や擬似ボーナス遊技状態）と、遊技の進行に応じてメダルが減り易い遊技状態（通常遊技状態）とを実現することができる。
【００７６】
また、当選領域２４には、当選種別「ハズレ」が対応付けられており、かかるハズレはメダルの払い出し等が行われることはないが、ＢＢ内部当選フラグが持ち越された当選役「ＢＢ」に対応する図柄組み合わせを有効ラインＡ上に表示させたり、特定の図柄組み合わせを有効ラインＡ上に表示させることで遊技の開始、終了条件や遊技利益の抽選契機に利用することができる。
【００７７】
次に、図１０のボーナス非成立遊技状態用当選種別抽選テーブルと、図９のボーナス成立遊技状態用当選種別抽選テーブルとを比較すると、前者は当選種別「ＢＢ」の抽選を行っているのに対し、後者では当選種別「ＢＢ」の抽選をしておらず、一方、後者は、当選種別「ハズレ」を抽選しているのに対し、前者では抽選していない。これは、後者では、既に当選種別「ＢＢ」に当選しているので重ねて当選種別「ＢＢ」を当選させることができず、また、後者では、後述するようにリプレイ役や小役が優先される状況下において、当選種別「ハズレ」が抽選された遊技で、当選している当選役「ＢＢ」に対応する図柄組み合わせを有効ラインＡ上に表示可能とするためである。また、図示はしていないが、後者は、前者に対して当選種別「通常リプレイ」の当選確率が高く設定されている。
【００７８】
主制御基板２００で管理している遊技状態としては、上記ボーナス非成立遊技状態およびボーナス成立遊技状態以外にボーナス遊技状態が存在するが、かかるボーナス遊技状態では、後述するように、当選種別抽選の結果に拘わらず、全ての抽選結果において、対応する図柄組み合わせが、必ず有効ラインＡ上に表示可能な小役に強制的に設定されるので、当選種別抽選テーブルは設定されていない。
【００７９】
（遊技状態の遷移）
以下、主制御基板２００における遊技状態（ボーナス非成立遊技状態、ボーナス成立遊技状態、ボーナス遊技状態）の遷移について詳述する。なお、本実施形態では、規定投入数が遊技状態に応じて異なっており、ボーナス非成立遊技状態、および、ボーナス成立遊技状態では、規定投入数が３枚に設定されているのに対し、ボーナス遊技状態では、規定投入数が２枚に設定されている。
【００８０】
（ボーナス非成立遊技状態）
ボーナス非成立遊技状態は、主制御基板２００で管理される複数の遊技状態のうち、初期状態に相当する遊技状態である。また、ボーナス非成立遊技状態では、当選種別「通常リプレイ」の当選確率が約１／７．３に設定される。そして、図８を用いて説明したように、ボーナス非成立遊技状態において、当選種別「ＢＢ」に当選すると、ボーナス成立遊技状態に移行する。本実施形態では、当選種別「ＢＢ」の当選確率が例えば約１／３に設定され、比較的少ない遊技で当選種別「ＢＢ」に当選するので、ボーナス非成立遊技状態の滞在期間は短くなる。
【００８１】
（ボーナス成立遊技状態）
ボーナス成立遊技状態は、ボーナス非成立遊技状態のみから移行し、当選役「ＢＢ」に対応する図柄組み合わせが有効ラインＡ上に表示されるまで継続する遊技状態である。この間、ＢＢ内部当選フラグが成立した状態に維持される。また、ボーナス成立遊技状態では、当選種別「通常リプレイ」の当選確率がボーナス非成立遊技状態より高く、例えば約１／３．８に設定される。
【００８２】
本実施形態では、後述するように、主制御基板２００においてボーナス成立遊技状態を維持しつつ、副制御基板２０２による通常ＡＴ遊技や擬似ボーナス遊技を実現する。したがって、ボーナス成立遊技状態からボーナス遊技状態に容易に遷移しないように、ボーナス成立遊技状態における当選種別抽選の当選確率を調整している。
【００８３】
ボーナス成立遊技状態において、図９に示したボーナス成立遊技状態用当選種別抽選テーブルを参照して理解できるように、当選種別抽選手段３０４は、ＢＢ内部当選フラグが持ち越されている遊技においても、リプレイ役や小役を抽選している。したがって、リプレイ役や小役が当選種別抽選により当選すると、リプレイ役や小役の当選フラグと、ＢＢ内部当選フラグとがいずれも成立していることとなる。ここで、本実施形態では、リプレイ役>小役>ボーナス役の順に優先順位が定められている。すなわち、リプレイ役や小役が含まれる当選種別が当選した遊技において、リール制御手段３０６は、リプレイ役や小役に対応する図柄組み合わせが有効ラインＡ上に表示されるように停止制御し、当選役「ＢＢ」に対応する図柄組み合わせは、遊技者が狙ったとしても、有効ラインＡ上に表示されることはない。
【００８４】
ここで、図９のボーナス成立遊技状態用当選種別抽選テーブルを参照すると、ボーナス成立遊技状態では、リプレイ役、小役、ハズレのいずれかが当選するようになっている。本実施形態では、ハズレの当選確率を、例えば、１／６５５３６とすることで、ほぼ、リプレイ役または小役のいずれかが当選することになる。そうすると、上記の如く、リプレイ役または小役に対応する図柄組み合わせが優先され、当選役「ＢＢ」に対応する図柄組み合わせを有効ラインＡ上に表示させることができない。また、リプレイ役や小役が含まれる当選種別が当選していないハズレの遊技でのみ当選役「ＢＢ」に対応する図柄組み合わせを有効ラインＡ上に表示させることが可能であるが、当選種別抽選においてハズレであったことを把握することができないようにすることで、当選役「ＢＢ」に対応する図柄組み合わせが有効ラインＡ上に表示されないようにしている。また、当選種別抽選がハズレであったとしても、遊技者が無作為に操作した場合に、各回転リール１３４ａ、１３４ｂ、１３４ｃに１図柄または連続２図柄しか記されていない当選役「ＢＢ」に対応する図柄組み合わせが表示される可能性は少ない。こうして、遊技者が当選役「ＢＢ」の入賞を意図的に回避しなければならない状況を減らし、遊技者の煩わしい操作負担を軽減しつつ、ボーナス成立遊技状態を容易に維持させることが可能となる。
【００８５】
また、ボーナス成立遊技状態では、上述したように、ほぼ、リプレイ役または小役のいずれかが当選することになっており、リプレイ役が約１／３．８の高確率で当選することで、遊技者のメダルの消費を抑え、また、通常ＡＴ遊技や擬似ボーナス遊技が実現されると、補助演出によって正解操作態様が報知されるので、遊技者は、メダルを獲得することが可能となる。ここでは、リプレイ役が、既に、約１／３．８といった高確率で当選するので、リプレイ役の当選確率が高くなるＲＴ（リプレイタイム）等を実行することなく、通常ＡＴ遊技や擬似ボーナス遊技のみを速やかに開始することが可能となる。
【００８６】
（ボーナス遊技状態）
ボーナス遊技状態は、ボーナス役に対応する図柄組み合わせが有効ラインＡ上に表示されたことを契機に移行し、メダルが所定枚数（例えば、２６枚）払い出されるまで継続する遊技状態である。かかるボーナス遊技状態では、当選種別抽選テーブルが設定されておらず、当選種別抽選手段３０４による当選種別抽選の結果が全てハズレとなるようになっている。ただし、かかる当選種別抽選の結果に拘わらず、全ての抽選結果において、対応する図柄組み合わせが、必ず有効ラインＡ上に表示可能な小役に強制的に設定される。したがって、ボーナス遊技において、遊技者は、必ず、メダルの所定枚数の払出を受けることができる。ただし、本実施形態では、払出枚数を規定投入数（ここでは２枚）と等しくしているため、ボーナス遊技によって得られるメダル数は±０枚である。また、本実施形態では、ボーナス遊技終了後のボーナス非成立遊技状態において補助演出が実行されないので、遊技者のメダルは減ることが多くなる。
【００８７】
一方、ボーナス成立遊技状態では、後述する通常ＡＴ遊技や擬似ボーナス遊技において補助演出が実行されるため、メダルの増加が期待できる。したがって、遊技者は、遊技状態がボーナス成立遊技状態からボーナス遊技状態に移行するのを回避し、長期に亘ってボーナス成立遊技状態を維持しようとする。こうして、主制御基板２００が管理する遊技状態をボーナス成立遊技状態に維持しつつ、ボーナス成立遊技状態中において、副制御基板２０２による通常ＡＴ遊技や擬似ボーナス遊技を実現することができる。
【００８８】
（副制御基板２０２）
図４に戻って説明すると、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００８９】
また、副制御基板２０２は、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、副遊技状態遷移手段３３４、演出決定手段３３６、演出実行手段３３８等の機能部を有する。
【００９０】
初期化決定手段３３０は、副制御基板２０２における初期化処理を実行する。コマンド受信手段３３２は、主制御基板２００等、他の制御基板からのコマンドを受信し、コマンドに対する処理を行う。副遊技状態遷移手段３３４は、当選種別コマンドに基づいて、遊技者に有利な特定遊技を含む複数の遊技状態から１の遊技状態を決定し、遊技状態を遷移させる。ここで、特定遊技とは、遊技者に対し遊技が有利に進行する、例えば、補助演出を実行する通常ＡＴ遊技や擬似ボーナス遊技をいう。また、特定遊技を実行している状態を特定遊技状態という。また、副遊技状態遷移手段３３４は、特定遊技を含む副制御基板２０２で管理される遊技状態を遷移させる。
【００９１】
演出決定手段３３６は、演出スイッチ１３２から検出信号を受信するとともに、当選種別コマンドに基づいて液晶表示部１３８、スピーカ１４０、演出用ランプ１４２の各デバイスで行われる遊技の演出を決定する。具体的に、演出決定手段３３６は、液晶表示部１３８に表示される画像データや、演出用ランプ１４２、リールバックライト１４４、リール上方ライト１４６、サブクレジット表示部１５６、サブ払出表示部１５８等の電飾機器を通じた演出のための電飾データを決定するとともに、スピーカ１４０から出力すべき音声を構成する音声データを決定する。演出実行手段３３８は、決定した遊技の演出を実行する。かかる各機能部については、後程詳述する。
【００９２】
演出は、上述したリール演出のような主制御基板２００によって実行される演出と、副制御基板２０２によって実行される演出がある。副制御基板２０２によって実行される演出は、遊技の進行に伴い、液晶表示部１３８、スピーカ１４０、演出用ランプ１４２、リールバックライト１４４、リール上方ライト１４６、サブクレジット表示部１５６、サブ払出表示部１５８等を通じて提供される視覚的および聴覚的な表現手段であり、当該遊技にストーリー性を与えたり、当選種別の抽選結果をよりダイナミックな画像で示唆したりすることができる。このような演出では、例えば、通常ＡＴ遊技や擬似ボーナス遊技の当選を示唆する演出を複数遊技に亘って行い、遊技者の期待感を高めることができる。また、たとえ、いずれの当選種別にも当選していなかったとしても、恰も当選しているかのような演出を通じて遊技者に高配当の期待感を持たせ、遊技者を飽きさせないようにすることが可能となる。
【００９３】
また、上述した当選種別の抽選結果を示唆する演出としては補助演出がある。例えば、ボーナス成立遊技状態において、図９に示すボーナス成立遊技状態用当選種別抽選テーブルの当選領域８〜２３の当選種別「打順ベル中１」、「打順ベル中２」、「打順ベル中３」、「打順ベル中４」、「打順ベル中５」、「打順ベル中６」、「打順ベル中７」、「打順ベル中８」、「打順ベル右１」、「打順ベル右２」、「打順ベル右３」、「打順ベル右４」、「打順ベル右５」、「打順ベル右６」、「打順ベル右７」、「打順ベル右８」（以下、かかる１６の当選種別を合わせて当選種別「打順ベル」と略す場合がある）が当選した場合に、遊技者は、期待獲得枚数が最大となる（当選役「通常ベル」を入賞し得る）正解操作態様を把握することができない。したがって、遊技者が、左リール１３４ａ、中リール１３４ｂ、右リール１３４ｃを無作為に停止操作しただけでは、正解操作態様による選択当選役に対応する図柄組み合わせを必ずしも有効ラインＡ上に表示させることができるとは限らない。ここで、演出実行手段３３８が、遊技者が停止操作を行う前に補助演出を実行して正解操作態様を報知することで、遊技者は、多くのメダルを獲得することが可能となる。
【００９４】
本実施形態では、副制御基板２０２内で演出動画を処理しているが、液晶表示部１３８に表示される静止画や動画を含む画像は、データ容量やその表示に伴う処理負荷が膨大となるため、別途、液晶制御基板を介在させて演出動画を処理する場合もある。
【００９５】
（遊技状態の遷移）
図１１は、遊技状態の状態遷移を説明するための説明図である。以下、副制御基板２０２における遊技状態（通常遊技状態、通常ＡＴ遊技状態、擬似ボーナス遊技状態）の遷移について詳述する。なお、本実施形態では、通常遊技状態として、ノーマル通常遊技状態とチャンス通常遊技状態とが設けられ、通常ＡＴ遊技状態として、ノーマルＡＴ遊技状態とチャンスＡＴ遊技状態とが設けられ、擬似ボーナス遊技状態として、ビッグボーナス遊技状態とレギュラーボーナス遊技状態とが設けられている。
【００９６】
（通常遊技状態）
通常遊技状態は、副制御基板２０２で管理される複数の遊技状態のうち、初期状態に相当する遊技状態である。通常遊技状態が実行される際、主制御基板２００では、ボーナス成立遊技状態となっているので、リプレイ役や小役の当選確率が高く設定されていることになるが、補助演出の実行頻度が通常ＡＴ遊技状態や擬似ボーナス遊技状態より低く、ほぼ補助演出が行われないので、獲得できるメダルの枚数が制限される。
【００９７】
また、通常遊技状態では、ストップボタンスイッチ１３０ａ、１３０ｂ、１３０ｃの操作が正当な操作態様（打順１または打順２）に制限され、遊技者は、そのような正当な操作態様以外の変則操作態様（打順３〜打順６）で操作を行うと、例えば、所定の遊技数を消化するまで、通常ＡＴ遊技や擬似ボーナス遊技の当選確率が低く設定されたり、所定の遊技数が消化されると遊技上の特典が与えられる条件下で遊技数の消化計数が一時的に停止する等、遊技が不利に進行するペナルティが科されることとなる。
【００９８】
また、通常遊技状態では、ノーマル通常遊技状態とチャンス通常遊技状態とが設けられ、ノーマル通常遊技状態では所定の契機でチャンス通常遊技状態に移行し（１）、所定の遊技数が消化されるとノーマル通常遊技状態に戻る（２）。ノーマル通常遊技状態では、擬似ボーナス遊技状態（ビッグボーナス遊技状態またはレギュラーボーナス遊技状態）に移行できる（３）。また、ノーマル通常遊技状態およびチャンス通常遊技状態のいずれの遊技状態でもノーマルＡＴ遊技状態に移行できるが（４）、チャンス通常遊技状態の方がノーマル通常遊技状態より移行し易く、擬似ボーナス遊技状態に移行しないことを踏まえても遊技利益が大きい状態となる。したがって、遊技者は、ノーマル通常遊技状態より、チャンス通常遊技状態に滞在することを望むこととなる。また、通常ＡＴ遊技状態や擬似ボーナス遊技状態に移行することなく通常遊技状態で所定の遊技数が消化されると通常ＡＴ遊技状態であるノーマルＡＴ遊技状態への移行（所謂天井に到達）が確定する。
【００９９】
（通常ＡＴ遊技状態）
通常ＡＴ遊技状態は、通常遊技状態または擬似ボーナス遊技状態から移行する遊技状態であり、副制御基板２０２による補助演出が行われる。また、通常ＡＴ遊技状態は、通常ＡＴ遊技状態を維持可能な（上限の）遊技数である継続回数で管理され、通常ＡＴ遊技状態が開始されてからの遊技数が設定された継続回数に到達したことで終了する。また、通常ＡＴ遊技状態では、継続回数の上乗せ抽選も行われ、当選することで継続回数が延長される。ここで、継続回数が加算されると、加算された遊技数分、通常ＡＴ遊技状態が長く維持され、遊技者は、遊技を有利に進行することができる。また、通常ＡＴ遊技状態では、遊技数が継続回数に到達し、一旦終了した後に、再び通常ＡＴ遊技状態に移行するか否か、すなわち、通常ＡＴ遊技状態を繰り返すか否かの継続抽選を行うこともできる。
【０１００】
通常ＡＴ遊技状態では、主制御基板２００においてボーナス成立遊技状態となっているので、リプレイ役や小役の当選確率が高く設定されており、補助演出によって正解操作態様が報知されることで、メダルの消費を抑えつつ、多くのメダルを獲得することが可能となる。また、通常ＡＴ遊技は、その抽選と実行が同じ副制御基板２０２で行われるので、通常ＡＴ遊技に当選すると、直ちに通常ＡＴ遊技を開始することができる。
【０１０１】
また、通常ＡＴ遊技状態では、通常遊技状態のようなペナルティを科していない。当該通常ＡＴ遊技状態では、選択当選役が重複当選している場合に、正解操作態様を報知することで、正解操作態様による選択当選役を入賞させ、遊技者にメダルを獲得させることを目的としている。したがって、正解操作態様に対応している変則操作態様をペナルティにすることができないからである。
【０１０２】
また、通常ＡＴ遊技状態では、ノーマルＡＴ遊技状態とチャンスＡＴ遊技状態とが設けられ、ノーマルＡＴ遊技状態では所定の契機でチャンスＡＴ遊技状態に移行し（５）、所定の遊技数が消化されるとノーマルＡＴ遊技状態に戻って（６）、ノーマルＡＴ遊技状態での遊技数の消化が再開する。また、ノーマルＡＴ遊技状態およびチャンスＡＴ遊技状態のいずれの遊技状態でも擬似ボーナス遊技状態（ビッグボーナス遊技状態またはレギュラーボーナス遊技状態）に移行できるが（７）、チャンスＡＴ遊技状態の方がノーマルＡＴ遊技状態より移行し易くなっている。したがって、遊技者は、ノーマルＡＴ遊技状態より、チャンスＡＴ遊技状態に滞在することを望むこととなる。そして、ノーマルＡＴ遊技状態での遊技数が設定された継続回数に到達すると、ノーマルＡＴ遊技状態が終了する。ただし、ノーマルＡＴ遊技状態の終了時にはチャンス通常遊技状態へ移行するので（８）、ノーマルＡＴ遊技状態への復帰が期待できる。
【０１０３】
（擬似ボーナス遊技状態）
擬似ボーナス遊技状態は、当選役「ビッグリプレイ」や当選役「レギュラーリプレイ」を有効ラインＡ上に表示させ、通常遊技状態または通常ＡＴ遊技状態から移行する遊技状態であり、通常ＡＴ遊技状態同様、副制御基板２０２による補助演出が行われる。擬似ボーナス遊技状態は、補助演出により正解操作態様を報知する遊技数であるナビ回数が、設定されたナビ回数に到達したことで終了する。擬似ボーナス遊技状態では、ビッグボーナス遊技状態とレギュラーボーナス遊技状態とが設けられ、ビッグボーナス遊技状態は、レギュラーボーナス遊技状態より、擬似ボーナス遊技状態開始時のナビ回数の設定が多い。したがって、遊技者は、レギュラーボーナス遊技状態よりビッグボーナス遊技状態で遊技するのを望むことになる。擬似ボーナス遊技状態が終了すると、擬似ボーナス遊技状態開始前の遊技状態に戻る。したがって、擬似ボーナス遊技状態開始前の遊技状態がノーマルＡＴ遊技状態であれば、ノーマルＡＴ遊技状態に戻り（９）、チャンスＡＴ遊技状態であれば、チャンスＡＴ遊技状態に戻り（１０）、ノーマル通常遊技状態であれば、ノーマル通常遊技状態に戻る（１１）。ただし、擬似ボーナス遊技状態開始前の遊技状態がノーマル通常遊技状態の場合に限り、所定の条件を満たすことでチャンス通常遊技状態に戻ることもある（１２）。
【０１０４】
擬似ボーナス遊技状態では、通常ＡＴ遊技状態同様、主制御基板２００においてボーナス成立遊技状態となっているので、リプレイ役や小役の当選確率が高く設定されており、補助演出によって正解操作態様が報知されることで、メダルの消費を抑えつつ、多くのメダルを獲得することが可能となる。
【０１０５】
上述したように、主制御基板２００が管理する遊技状態は、ほぼ、ボーナス成立遊技状態に滞在しており、ボーナス成立遊技状態であることを条件に、副制御基板２０２では、遊技状態を、通常遊技状態、通常ＡＴ遊技状態、擬似ボーナス遊技状態の間で遷移させる。しかし、当選役「ＢＢ」に対応する図柄組み合わせが有効ラインＡ上に表示される可能性があり、主制御基板２００が管理する遊技状態がボーナス成立遊技状態からボーナス遊技状態に遷移する場合もある。副制御基板２０２では、主制御基板２００における遊技状態を把握することが可能なので、ボーナス成立遊技状態からボーナス遊技状態に遷移した場合、副制御基板２０２の遊技状態を一旦停止し、かつ、補助演出を行わないようにする。そして、主制御基板２００においてボーナス非成立遊技状態からボーナス成立遊技状態に遷移すると、副制御基板２０２の遊技状態を再開する。
【０１０６】
（副制御基板２０２で用いられるテーブル）
サブＲＯＭ２０２ｂには、複数の遊技抽選テーブル等が格納されている。副遊技状態遷移手段３３４は、当選種別抽選手段３０４が決定した当選種別に基づいて対応する遊技状態抽選テーブルをサブＲＯＭ２０２ｂから抽出するとともに、抽出した遊技状態抽選テーブルに基づき、所定の遊技の当選に対応するか否か判定する。
【０１０７】
図１２は、遊技状態抽選テーブルを示す図であり、図１２（ａ）は、ノーマル通常遊技状態に用いられ、図１２（ｂ）は、チャンス通常遊技状態に用いられ、図１２（ｃ）は、ノーマルＡＴ遊技状態に用いられ、図１２（ｄ）は、チャンスＡＴ遊技状態に用いられる。かかる遊技状態抽選テーブルは、本来、同一の遊技状態であても、当選種別抽選の抽選結果毎に異なるが、ここでは、説明の便宜上、当選種別抽選の抽選結果の影響を受けないとする。各遊技状態抽選テーブルでは、複数の当選領域が区画されており、区画化された各当選領域にはそれぞれ所定の当選範囲値と遊技が対応付けられており、遊技状態毎に割り当てられた全ての当選領域の当選範囲値を合計すると演出抽選乱数の総数（６５５３６）となる。したがって、特定遊技やハズレのそれぞれが当選する確率は、当選領域に対応付けられた当選範囲値を演出抽選乱数の総数で除算した値となる。例えば、図１２（ａ）のノーマル通常遊技状態用遊技状態抽選テーブルでは、５つの当選領域が区画されており、当選領域毎の当選範囲値に応じて、各遊技の当選確率が異なることとなる。
【０１０８】
図１２（ａ）のノーマル通常遊技状態用遊技状態抽選テーブルと図１２（ｂ）のチャンス通常遊技状態用遊技状態抽選テーブルとを比較すると、チャンス通常遊技状態用遊技状態抽選テーブルには、ノーマル通常遊技状態用遊技状態抽選テーブルのようにビッグボーナス遊技やレギュラーボーナス遊技が抽選により決定されることはない。また、チャンス通常遊技状態からノーマル通常遊技状態には所定の遊技数の消化により移行するので、ノーマル通常遊技が抽選により決定されることもない。ただし、チャンス通常遊技状態用遊技状態抽選テーブルのノーマルＡＴ遊技の当選範囲値は、ノーマル通常遊技状態用遊技状態抽選テーブルのノーマルＡＴ遊技の当選範囲値より大きな値が設定されている。また、図１２（ｃ）のノーマルＡＴ遊技状態用遊技状態抽選テーブルと図１２（ｄ）のチャンスＡＴ遊技状態用遊技状態抽選テーブルとを比較すると、チャンスＡＴ遊技状態からノーマルＡＴ遊技状態には所定の遊技数の消化により移行するので、チャンスＡＴ遊技状態用遊技状態抽選テーブルでは、ノーマルＡＴ遊技が抽選により決定されることがない。なお、図１２（ｃ）のノーマルＡＴ遊技状態用遊技状態抽選テーブルでは、説明の便宜のため、チャンスＡＴ遊技を直接抽選しているが、正確には、まず、ノーマルＡＴ遊技状態中に所定の遊技数継続する抽選領域への移行を抽選し、その抽選領域においてさらにチャンスＡＴ遊技が抽選される。
【０１０９】
（通常ＡＴ遊技状態での上乗せ演出）
ところで、上述したように、通常ＡＴ遊技状態では、継続回数の上乗せ抽選も行われ、継続回数の上乗せに当選することで継続回数が延長される。ここで、例えば、通常ＡＴ遊技中に、遊技者によるベットスイッチ１２６の操作、または、メダル投入部１２４へのメダルの投入を通じ、ベット手段３０２がメダルをベットする。そして、遊技者によるスタートスイッチ１２８の操作に基づいて、当選種別抽選手段３０４が当選種別抽選により当選種別を決定し、リール制御手段３０６が、回転リール１３４ａ、１３４ｂ、１３４ｃの回転を開始する。このとき、当選種別抽選により当選種別「特殊リプレイ１」（上乗せ付与当選種別）が当選すると、副遊技状態遷移手段３３４は、当選種別「特殊リプレイ１」の当選に応じて、次回の１遊技において通常ＡＴ遊技の継続回数の上乗せを行う上乗せ演出の実行可否を抽選（上乗せ抽選）により決定する。そして、上乗せ抽選により、上乗せ演出を実行することが決定されると、演出実行手段３３８は、当選役「特殊リプレイ１」（上乗せ付与当選役）の入賞条件となる操作順（打順３〜６）、および、各回転リール１３４ａ、１３４ｂ、１３４ｃに配置された「ＢＡＲ」図柄が有効ラインＡ上に揃い得ることを報知する。そして、遊技者は、左リール１３４ａ、中リール１３４ｂ、右リール１３４ｃに配置された「ＢＡＲ」図柄を有効ラインＡ上に表示するようにストップボタンスイッチ１３０ａ、１３０ｂ、１３０ｃを入賞条件となる操作順に操作して、各回転リール１３４ａ、１３４ｂ、１３４ｃに配置された「ＢＡＲ」図柄を有効ラインＡ上に直線的に表示することができる。ただし、遊技者が、報知された操作順は守りつつ、無作為なタイミングでストップボタンスイッチ１３０ａ、１３０ｂ、１３０ｃを操作した場合でも、当選役「特殊リプレイ１」に対応する図柄組み合わせは有効ラインＡ上に表示されるので、「ＢＡＲ」図柄揃いが表示されなくとも、上乗せ演出は実行される。なお、上乗せ抽選における上乗せ演出を実行する確率（以下、単に上乗せ当選確率という）は、例えば１／１０００に設定される。ここでは、上乗せ付与当選種別として当選種別「特殊リプレイ１」を挙げて説明したが、他の当選種別に応じて上乗せ抽選が行われてもよいのは言うまでもない。
【０１１０】
ここで、主制御基板２００では、副制御基板２０２が管理する遊技状態を把握することができないので、当選種別抽選により当選種別「特殊リプレイ１」（上乗せ付与当選種別）が当選し、かつ、当選役「特殊リプレイ１」（上乗せ付与当選役）の入賞条件となる操作順（打順３〜６）による操作が行われたことをもって上乗せ演出が実行されると判断する。そして、主制御基板２００および副制御基板２０２では、次回の１遊技において上乗せ演出を３回実行する。
【０１１１】
一方、当選種別抽選により当選種別「特殊リプレイ１」が当選し、上乗せ抽選により、上乗せ演出を実行しないことが決定される（上乗せ演出の非当選が決定される）と、演出実行手段３３８は、当選役「通常リプレイ」の入賞条件となる操作順（打順１、２）、および、各回転リール１３４ａ、１３４ｂ、１３４ｃに配置された「リプレイ」図柄が有効ラインＡ上に揃い得ることを報知する。
【０１１２】
図１３および図１４は、通常ＡＴ遊技状態における上乗せ演出を説明する説明図である。なお、説明の便宜のため、図１３（ａ）、図１４では、スロットマシン１００の外観を簡易的に表し、ベットスイッチ１２６、スタートスイッチ１２８、ストップボタンスイッチ１３０ａ、１３０ｂ、１３０ｃ、演出スイッチ（操作部）１３２、回転リール１３４ａ、１３４ｂ、１３４ｃ、液晶表示部１３８のみを図示し、図１３（ｂ）、（ｃ）では、演出スイッチ１３２、液晶表示部１３８のみを図示する。
【０１１３】
副遊技状態遷移手段３３４の上乗せ抽選により上乗せ演出の実行が決定された次回の遊技において、主制御基板２００では、遊技者によるベットスイッチ１２６の操作、または、メダル投入部１２４へのメダルの投入を通じ、ベット手段３０２がメダルをベットし、遊技者によるスタートスイッチ１２８の操作に基づいて、当選種別抽選手段３０４が当選種別抽選により当選種別を決定する。また、主制御基板２００は、前回の遊技の当選役および操作順によって上乗せ演出を実行することを把握したので、リール制御手段３０６が、回転リール１３４ａ、１３４ｂ、１３４ｃの回転を開始させた直後に、１回目の上乗せ演出（リール演出）を開始し、回転リール１３４ａ、１３４ｂ、１３４ｃを仮停止させるとともに、詳しくは後述するように、再び遊技者によりスタートスイッチ１２８が操作されたとき、または、回転操作有効期間が経過したときに設定される回転待機期間の経過後に、回転リール１３４ａ、１３４ｂ、１３４ｃのうち、回転させる１の回転リールを回転リール決定抽選により決定する。なお、この回転リール決定抽選では、回転リール１３４ａ、１３４ｂ、１３４ｃを回転させる確率がそれぞれ１／３に設定されている。
【０１１４】
副制御基板２０２では、演出決定手段３３６が、当選種別抽選手段３０４で決定された当選種別と、不図示の上乗せ回数候補決定テーブルに基づいて、通常ＡＴ遊技状態の遊技回数の上乗せ回数（上乗せ量）の候補となる、回転リール１３４ａ、１３４ｂ、１３４ｃの数に対応する３つの上乗せ回数候補を、３回の上乗せ演出（表示演出）それぞれについて決定する。そして、演出実行手段３３８が、図１３（ａ）に示すように、１回目の上乗せ演出を開始し、液晶表示部１３８における回転リール１３４ａ、１３４ｂ、１３４ｃそれぞれに対応する位置に、１回目の上乗せ演出に対して抽選で決定された上乗せ回数候補を示す上乗せ回数候補部分画像４００ａ、４００ｂ、４００ｃを表示する。なお、上乗せ回数候補は、例えば「２０」、「３０」、「５０」、「１００」、「１５０」、「２００」の中から抽選で決定される。また、３回目の上乗せ演出で決定される上乗せ回数候補は、１回目、２回目の上乗せ演出で決定される上乗せ回数候補よりも上乗せ回数が多い。
【０１１５】
主制御基板２００および副制御基板２０２では、１回目の上乗せ演出が開始されると、演出スイッチ１３２の回転操作を有効に受け付けるための回転操作有効期間が設定される。
【０１１６】
そして、図１３（ｂ）に示すように、演出スイッチ１３２が時計回りに回転操作されると、演出実行手段３３８は、演出スイッチ１３２の回転量に応じて、上乗せ回数候補部分画像４００ａ、４００ｂ、４００ｃを右方向に１つずつずらすように移動表示し、また、液晶表示部１３８の右端に移動表示された上乗せ回数候補部分画像４００ｃを、液晶表示部１３８の左端から右方向に移動表示する。そして、演出スイッチ１３２が時計回りに所定角度回転操作される度に、上乗せ回数候補部分画像４００ａ、４００ｂ、４００ｃを右方向に１つずつずらすように移動表示する。
【０１１７】
また、図１３（ｃ）に示すように、演出スイッチ１３２が反時計回りに回転操作されると、演出実行手段３３８は、演出スイッチ１３２の回転量に応じて、上乗せ回数候補部分画像４００ａ、４００ｂ、４００ｃを左方向に１つずつずらすように移動表示し、また、液晶表示部１３８の左端に移動表示された上乗せ回数候補部分画像４００ａを、液晶表示部１３８の右端から左方向に移動表示する。そして、演出スイッチ１３２が反時計回りに所定角度回転操作される度に、上乗せ回数候補部分画像４００ａ、４００ｂ、４００ｃが左方向に１つずつずらすように移動表示する。
【０１１８】
その後、演出スイッチ１３２に対する回転操作が終了されると、上乗せ回数候補部分画像４００ａ、４００ｂ、４００ｃの移動表示も終了し、上乗せ回数候補部分画像４００ａ、４００ｂ、４００ｃそれぞれが回転リール１３４ａ、１３４ｂ、１３４ｃのいずれかに対応する位置に停止表示される。
【０１１９】
その後、例えば、図１４（ａ）に示すように、回転リール１３４ａ、１３４ｂ、１３４ｃそれぞれに対応する位置に、上乗せ回数候補部分画像４００ｂ、４００ｃ、４００ａが停止表示された状態で、遊技者によりスタートスイッチ１２８が操作されたとき、または、回転操作有効期間が経過したときに設定される回転待機期間の経過後に、リール制御手段３０６が、回転リール決定抽選により決定した回転リール１３４ａ、１３４ｂ、１３４ｃのうちのいずれか１の回転リールの回転を開始する。このとき、副遊技状態遷移手段３３４が、回転した回転リールに対応する位置に表示された上乗せ回数候補部分画像４００に示された上乗せ回数候補が１回目の上乗せ演出での上乗せ回数として決定する。例えば、図１４（ｂ）に示すように、回転リール１３４ｂが回転したとすると、回転リール１３４ｂに対応する位置に表示された上乗せ回数候補部分画像４００ｃに示された上乗せ回数候補である「５０」を１回目の上乗せ演出での上乗せ回数として決定する。
【０１２０】
続いて、リール制御手段３０６が、２回目の上乗せ演出（リール演出）を開始し、回転リール１３４ａ、１３４ｂ、１３４ｃを仮停止させるとともに、回転待機期間の経過後に、回転リール１３４ａ、１３４ｂ、１３４ｃのうちの回転させる１の回転リールを回転リール決定抽選により決定する。また、演出実行手段３３８が、２回目の上乗せ演出（表示演出）を開始し、液晶表示部１３８における回転リール１３４ａ、１３４ｂ、１３４ｃそれぞれに対応する位置に、２回目の上乗せ演出に対して抽選で決定した上乗せ回数候補を示す上乗せ回数候補部分画像４００ａ、４００ｂ、４００ｃを表示する。そして、演出実行手段３３８が、演出スイッチ１３２に対する回転操作に応じて上乗せ回数候補部分画像４００ａ、４００ｂ、４００ｃを移動表示させた後、遊技者によりスタートスイッチ１２８が再び操作されると、リール制御手段３０６が、決定した１の回転リールの回転を開始し、副遊技状態遷移手段３３４が、回転した回転リールに対応する位置に表示された上乗せ回数候補部分画像４００に示された上乗せ回数候補を２回目の上乗せ演出での上乗せ回数として決定する。
【０１２１】
続いて、リール制御手段３０６が、３回目の上乗せ演出（リール演出）を開始し、回転リール１３４ａ、１３４ｂ、１３４ｃを仮停止させるとともに、回転待機期間の経過後に、回転リール１３４ａ、１３４ｂ、１３４ｃのうちの回転させる１の回転リールを回転リール決定抽選により決定する。また、演出実行手段３３８は、３回目の上乗せ演出（表示演出）を開始し、液晶表示部１３８における回転リール１３４ａ、１３４ｂ、１３４ｃそれぞれに対応する位置に、３回目の上乗せ演出に対して抽選で決定した上乗せ回数候補を示す上乗せ回数候補部分画像４００ａ、４００ｂ、４００ｃを表示する。そして、演出実行手段３３８が、演出スイッチ１３２に対する回転操作に応じて上乗せ回数候補部分画像４００ａ、４００ｂ、４００ｃを移動表示させた後、遊技者によりスタートスイッチ１２８が再び操作されると、リール制御手段３０６が、決定した１の回転リールの回転を開始し、副遊技状態遷移手段３３４が、回転した回転リールに対応する位置に表示された上乗せ回数候補部分画像４００に示された上乗せ回数候補を３回目の上乗せ演出での上乗せ回数として決定する。なお、主制御基板２００および副制御基板２０２では、２回目、３回目の上乗せ演出が開始されると、演出スイッチ１３２の回転操作を有効に受け付けるための回転操作有効期間が設定される。
【０１２２】
ところで、このような上乗せ演出では、演出スイッチ１３２に対する回転操作に応じて上乗せ回数候補部分画像４００ａ、４００ｂ、４００ｃが移動表示されている状態で、例えば、遊技者によりスタートスイッチ１２８が再び操作され、当該操作の直後に回転リール１３４ａ、１３４ｂ、１３４ｃのうちのいずれか１の回転リールの回転を開始すると、上乗せ回数候補部分画像４００ａ、４００ｂ、４００ｃが停止表示していない状態で（移動している状態で）、回転リール１３４ａの回転が開始してしまうことも考えられる。このような場合、１の回転リールの回転を開始した際に当該回転リールに対応する位置に表示されている上乗せ回数候補部分画像４００とは異なる上乗せ回数候補部分画像４００で示される上乗せ回転候補が上乗せ回数として決定されることになる。つまり、回転リール１３４ａ、１３４ｂ、１３４ｃのリール演出と、液晶表示部１３８に対する表示演出とが一致しないといった事象が生じるおそれがあり、上乗せ回数の不一致が生じた場合には演出効果が低下してしまう。
【０１２３】
そこで、本実施形態の上乗せ演出では、図１５（ａ）に示すように、回転操作有効期間の経過前にスタートスイッチ１２８が操作されると、リール制御手段３０６は、スタートスイッチ１２８の操作の入力受付時からの一定の回転待機期間の経過後に決定した１の回転リールの回転を開始する。また、図１５（ｂ）に示すように、回転操作有効期間の経過前にスタートスイッチ１２８が操作されずに回転操作有効期間が経過した場合も、リール制御手段３０６は、スタートスイッチ１２８の操作の入力受付時からの一定の回転待機期間の経過後に決定した１の回転リールの回転を開始する。この回転待機期間は、演出スイッチ１３２への１回の回転操作に応じて上乗せ回数候補部分画像４００ａ、４００ｂ、４００ｃの移動表示が開始してから終了するまで、すなわち上乗せ回数候補部分画像４００ａ、４００ｂ、４００ｃの移動開始から停止するまでの移動表示期間と同一またはそれ以上の長さに設定される。なお、回転操作有効期間の経過前にスタートスイッチ１２８の操作がなされたときに、コマンド決定手段３１４は、その操作がなされたことを示すスタートスイッチコマンドを生成し、コマンド送信手段３１６は、生成されたスタートスイッチコマンドを副制御基板２０２に送信する。また、回転待機期間の経過後に決定した１の回転リールの回転が開始したときに、コマンド決定手段３１４は、決定した１の回転リールの回転が開始したことを示す回転リールコマンドを生成し、コマンド送信手段３１６は、生成された回転リールコマンドを副制御基板２０２に送信する。そして、副遊技状態遷移手段３３４が、回転リールコマンドに基づいて、回転した回転リールに対応する位置に表示された上乗せ回数候補部分画像４００に示された上乗せ回数候補を確定する。
【０１２４】
このように、リール制御手段３０６は、上乗せ演出が開始されてから再びスタートスイッチ１２８が操作されたとき、または、回転操作有効期間が経過したときに設定される回転待機期間の経過後に、決定した１の回転リールの回転を開始する。したがって、演出実行手段３３８は、上乗せ演出の開始後のスタートスイッチ１２８の操作の直前、または、回転操作有効期間の直前に演出スイッチ１３２が操作されていても、回転待機期間内に上乗せ回数候補部分画像４００ａ、４００ｂ、４００ｃの移動表示を完了させることができる。かくして、スロットマシン１００では、上乗せ回数候補部分画像４００ａ、４００ｂ、４００ｃが完全に停止され移動しない状態で、１の回転リールの回転が開始するので、回転リール１３４ａ、１３４ｂ、１３４ｃのリール演出と、液晶表示部１３８に対する表示演出との不一致を防止し、演出効果を向上することができる。
【０１２５】
以下、主制御基板２００、副制御基板２０２における具体的処理をフローチャートに基づいて説明する。
【０１２６】
（主制御基板２００のメイン処理）
図１６は、主制御基板２００のメイン処理を示したフローチャートである。ここでは、まず、主制御基板２００のメイン処理に沿って、初期化後の１遊技の概略を説明し、その後、各処理の詳細について説明する。また、ここでは、本実施形態の特徴に関係する処理について詳細に説明し、本実施形態の特徴と無関係の構成については説明を省略する。また、詳細な説明は省略するが、各処理が遂行される際、各処理において用いられるスイッチ（ベットスイッチ１２６、スタートスイッチ１２８、ストップボタンスイッチ１３０ａ、１３０ｂ、１３０ｃ）は、処理の開始時に有効化され、処理の終了時に無効化される。
【０１２７】
（ステップＳ１００）
電源スイッチ１４８を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、回転リール１３４ａ、１３４ｂ、１３４ｃの回転中に不意の電断が起きたとしても、復帰動作後に再度各回転リール１３４ａ、１３４ｂ、１３４ｃが回転している状態から開始される。したがって、初期化処理では、基本的に、メインＲＡＭ２００ｃの初期化（ＲＡＭクリア）は行われない。
【０１２８】
（ステップＳ２００）
続いて、遊技者によるベットスイッチ１２６の操作、または、メダル投入部１２４へのメダルの投入を通じ、ベット手段３０２がメダルをベットする。また、コマンド決定手段３１４は、その操作がなされたことを示す投入コマンドを生成し、コマンド送信手段３１６は、生成された投入コマンドを副制御基板２０２に送信する。
【０１２９】
（ステップＳ３００）
次に、当選種別抽選手段３０４は、スタートスイッチ１２８に対する遊技開始操作を有効化し、スタートスイッチ１２８の操作待ち状態に移行する。そして、当選種別抽選手段３０４は、遊技者によるスタートスイッチ１２８の操作に応じて、当選種別抽選を実行する。かかる当選種別抽選手段３０４による抽選処理Ｓ３００は後程詳述する。
【０１３０】
（ステップＳ４００）
スタートスイッチ１２８が操作されると、リール制御手段３０６は、ステッピングモータ２６２を駆動して左リール１３４ａ、中リール１３４ｂ、右リール１３４ｃを回転させる。このリール回転処理においては、前回の１遊技における左リール１３４ａ、中リール１３４ｂ、右リール１３４ｃの回転開始時点から所定の時間（例えば４．１秒）が経過すると（ウェイト）、当該遊技における左リール１３４ａ、中リール１３４ｂ、右リール１３４ｃの回転を開始し、左リール１３４ａ、中リール１３４ｂ、右リール１３４ｃの全てが定速回転となったところで、ステップＳ５００に処理を移す。また、リール制御手段３０６は、リール演出を実行する場合もある。かかるリール制御手段３０６によるリール回転処理Ｓ４００は後程詳述する。
【０１３１】
（ステップＳ５００）
続いて、リール制御手段３０６は、ストップボタンスイッチ１３０ａ、１３０ｂ、１３０ｃを有効化し、遊技者によるストップボタンスイッチ１３０ａ、１３０ｂ、１３０ｃの操作を受け付けると、その操作に対応する回転リール（左リール１３４ａ、中リール１３４ｂ、右リール１３４ｃのいずれか）を停止制御する。かかるリール制御手段３０６によるリール停止処理Ｓ５００は後程詳述する。
【０１３２】
（ステップＳ６００）
次に、判定手段３０８は、図５（ａ）に示した有効ラインＡ上に表示された図柄組み合わせが予め定められたどの組み合わせに相当するかを判定し、その図柄組み合わせに応じて遊技状態の変更やリプレイに際して要求される種々の処理を実行する。また、コマンド決定手段３１４は、有効ラインＡ上に表示された図柄組み合わせや、有効ラインＡ上に小役に対応する図柄組み合わせが表示された場合におけるメダルの払出枚数等を含む入賞コマンドを生成し、コマンド送信手段３１６は、生成された入賞コマンドを副制御基板２０２に送信する。また、主遊技状態遷移手段３１２は、ボーナス成立遊技状態において当選役「ＢＢ」に対応する図柄組み合わせが有効ラインＡ上に表示されたことに基づき、遊技状態をボーナス成立遊技状態からボーナス遊技状態へ遷移させる。また、外部出力手段３１８は、ストップボタンスイッチ１３０ａ、１３０ｂ、１３０ｃの操作、および、判定手段３０８によって判定された結果に基づき、スロットマシン１００の外部信号を出力する。
【０１３３】
（ステップＳ７００）
続いて、払出制御手段３１０は、ステップＳ６００における判定結果に基づき、例えば、有効ラインＡ上に小役に対応する図柄組み合わせが表示されると、当該小役に対応するメダルの払出処理を実行し、有効ラインＡ上にリプレイ役に対応する図柄組み合わせが表示されると、自動的に次遊技のベットを行うための処理を実行する。また、主遊技状態遷移手段３１２は、ボーナス遊技状態においてメダルの所定枚数の払い出しが実行されると、遊技状態をボーナス遊技状態からボーナス非成立遊技状態へ遷移させる。このように、払出制御手段３１０は、有効ラインＡ上に表示された図柄組み合わせに対応して種々の処理を遂行し、当該１遊技を終了する。また、コマンド決定手段３１４は、メダルの払出処理がなされた場合、払出処理がなされたことを示す払出コマンドを生成し、コマンド送信手段３１６は、生成された払出コマンドを副制御基板２０２に送信する。
【０１３４】
ステップＳ２００からステップＳ７００までの一連の処理を通じて１遊技が実行される。以後は、ステップＳ２００からステップＳ７００までを繰り返すこととなる。
【０１３５】
（抽選処理Ｓ３００）
図１７は、上記ステップＳ３００の抽選処理を示したフローチャートである。
【０１３６】
（ステップＳ３０１）
まず、当選種別抽選手段３０４は、スタートスイッチ１２８が操作されたか否か判定する。その結果、スタートスイッチ１２８が操作されていれば、主制御基板２００の乱数発生器２００ｄによって更新された種々の乱数、例えば、１の当選種別抽選乱数を取得してステップＳ３０２に処理を移し、スタートスイッチ１２８が操作されていなければ、ステップＳ３０１の処理を繰り返す。
【０１３７】
（ステップＳ３０２）
上記ステップＳ３０１においてスタートスイッチ１２８が操作されたと判定されれば、当選種別抽選手段３０４は、図９および図１０に示した複数の当選種別抽選テーブルから、現在設定されている遊技状態に対応する１の当選種別抽選テーブルを決定するとともに、ステップＳ３０１で取得した当選種別抽選乱数が、決定した当選種別抽選テーブルにおけるいずれの当選領域に対応するか判定し、判定された当選領域の当選種別またはハズレを抽選結果として決定する（当選種別抽選）。
【０１３８】
（ステップＳ３０３）
次に、主遊技状態遷移手段３１２は、現在の遊技状態がボーナス非成立遊技状態であり、かつ、上記ステップＳ３０２の当選種別抽選において当選種別「ＢＢ」に当選したか否か判定する。その結果、ボーナス非成立遊技状態であり、かつ、当選種別「ＢＢ」に当選していれば、ステップＳ３０４に処理を移し、ボーナス非成立遊技状態ではない、または、当選種別「ＢＢ」に当選していなければ、ステップＳ３０５に処理を移す。
【０１３９】
（ステップＳ３０４）
上記ステップＳ３０３において、現在の遊技状態がボーナス非成立遊技状態であり、かつ、当選種別「ＢＢ」に当選していると判定されれば、主遊技状態遷移手段３１２は、遊技状態をボーナス非成立遊技状態からボーナス成立遊技状態へ遷移させる。
（ステップＳ３０５）
続いて、当選種別抽選手段３０４は、メインＲＡＭ２００ｃに保持された操作履歴から前回の遊技における操作を参照し、前回の遊技において当選種別「特殊リプレイ１」が当選し、その遊技で遊技者が当選役「特殊リプレイ１」の入賞条件となる操作態様による操作を行ったか否か判定する。その結果、当選種別および操作の条件をいずれも満たせば、ステップＳ３０６に処理を移し、いずれかの条件を満たしていなければ、ステップＳ３０７に処理を移す。
【０１４０】
（ステップＳ３０６）
上記ステップＳ３０５において当選種別および操作のいずれの条件も満たしていると判定されれば、当選種別抽選手段３０４は、上乗せ演出（リール演出）の実行を決定し、上乗せ演出フラグをオンにする。ここで、上乗せ演出フラグは、リール回転処理Ｓ４００において上乗せ演出（リール演出）を開始させるためのフラグである。
【０１４１】
（ステップＳ３０７）
続いて、当選種別抽選手段３０４は、メインＲＡＭ２００ｃに保持されている前回の遊技において当選種別抽選で当選した当選種別を維持しつつ、ステップＳ３０１における今回の遊技において当選種別抽選で当選した当選種別をメインＲＡＭ２００ｃに保持する。したがって、メインＲＡＭ２００ｃには、前回の遊技および今回の遊技における２つの当選種別が保持される。かかる当選種別は、リール回転処理Ｓ４００において、リール演出を実行するか否かの判定条件として用いられる。
【０１４２】
（ステップＳ３０８）
そして、コマンド決定手段３１４は、ステップＳ３０２における当選種別抽選の抽選結果（当選種別またはハズレ）や遊技状態に関する情報等を含む当選種別コマンドを生成し、コマンド送信手段３１６は、生成された当選種別コマンドを副制御基板２０２に送信して、当該抽選処理Ｓ３００を終了する。
【０１４３】
（リール回転処理Ｓ４００）
図１８は、上記ステップＳ４００のリール回転処理を示したフローチャートである。
【０１４４】
（ステップＳ４０１）
リール制御手段３０６は、前回の１遊技における左リール１３４ａ、中リール１３４ｂ、右リール１３４ｃのいずれかの回転開始時点から所定のウェイト時間（例えば４．１秒）が経過したか否か判定する。その結果、ウェイト時間が経過していれば、ステップＳ４０２に処理を移し、ウェイト時間が経過していなければ、ステップＳ４０１の処理を繰り返す。
【０１４５】
（ステップＳ４０２）
上記ステップＳ４０１においてウェイト時間が経過していると判定されれば、リール制御手段３０６は、回転リール１３４ａ、１３４ｂ、１３４ｃの回転を開始する。
【０１４６】
（ステップＳ４０３）
リール制御手段３０６は、上乗せ演出フラグがオンしているかを判定する。その結果、上乗せ演出フラグがオンしていれば、ステップＳ４０４に処理を移し、上乗せ演出フラグがオンしていなければ、当該リール回転処理Ｓ４００を終了する。
【０１４７】
（ステップＳ４０４）
リール制御手段３０６は、上乗せ演出（リール演出）の実行回数Ｎを１にセットする。
【０１４８】
（ステップＳ４０５）
リール制御手段３０６は、回転リール１３４ａ、１３４ｂ、１３４ｃを仮停止させる。
【０１４９】
（ステップＳ４０６）
リール制御手段３０６は、仮停止させた回転リール１３４ａ、１３４ｂ、１３４ｃのうちの回転させる１の回転リールを抽選により決定する。
【０１５０】
（ステップＳ４０７）
リール制御手段３０６は、副制御基板２０２において演出スイッチ１３２の操作を有効にする回転操作有効期間をセットする。
【０１５１】
（ステップＳ４０８）
リール制御手段３０６は、回転操作有効期間が経過したかを判定する。その結果、回転操作有効期間が経過していれば、ステップＳ４１０に処理を移し、回転操作有効期間が経過していなければ、ステップＳ４０９に処理を移す。
【０１５２】
（ステップＳ４０９）
リール制御手段３０６は、スタートスイッチ１２８が操作されたかを判定する。その結果、スタートスイッチ１２８が操作されていれば、ステップＳ４１０に処理を移し、スタートスイッチ１２８が操作されていなければ、ステップＳ４０８に処理を戻す。また、スタートスイッチ１２８が操作されていれば、コマンド送信手段３１６は、スタートスイッチ１２８が操作されたことを示すスタートスイッチコマンドを生成し、生成されたスタートスイッチコマンドを副制御基板２０２に送信する。
【０１５３】
（ステップＳ４１０）
リール制御手段３０６は、回転操作有効期間が経過し、または、スタートスイッチ１２８が操作されると、上記ステップＳ４０６で決定された１の回転リールの回転開始を一定期間待つための回転待機期間をセットする。
【０１５４】
（ステップＳ４１１）
リール制御手段３０６は、回転待機期間が経過したかを判定する。その結果、回転待機期間が経過していれば、ステップＳ４１２に処理を移し、回転待機期間が経過していなければ、ステップＳ４１１の処理を繰り返す。
【０１５５】
（ステップＳ４１２）
リール制御手段３０６は、上記ステップＳ４０６で決定した１の回転リールの回転を開始する。
【０１５６】
（ステップＳ４１３）
リール制御手段３０６は、上記ステップＳ４１２で回転させて１の回転リールを示す回転リールコマンドを生成し、コマンド送信手段３１６は、生成された回転リールコマンドを副制御基板２０２に送信する。
【０１５７】
（ステップＳ４１４）
リール制御手段３０６は、上乗せ演出の実行回数Ｎが３であるかを判定する。その結果、フリーズ演出の実行回数Ｎが３であれば、ステップＳ４１６に処理を移し、フリーズ演出の実行回数Ｎが３でなければ、ステップＳ４１５に処理を移す。
【０１５８】
（ステップＳ４１５）
リール制御手段３０６は、フリーズ演出の実行回数Ｎを１加算して更新し、ステップＳ４０５の処理に戻る。
【０１５９】
（ステップＳ４１６）
リール制御手段３０６は、回転していない２の回転リールの回転を開始する。このとき、本実施形態では、回転していない２の回転リールの回転開始タイミングを異ならせている。具体的に、回転リール１３４ａ、１３４ｂ、１３４ｃが仮停止している状態において、第１遅延時間、第２遅延時間をランダムに抽選し、まず、回転していない１の回転リールを回転させ、第１遅延時間経過後に回転していない最後の回転リールを回転させ、第２遅延時間経過後にストップスイッチ１３０の操作を有効化する。
【０１６０】
（ステップＳ４１７）
リール制御手段３０６は、上乗せ演出フラグをオフにし、当該リール回転処理Ｓ４００を終了する。
【０１６１】
（リール停止処理Ｓ５００）
図１９は、上記ステップＳ５００のリール停止処理を示したフローチャートである。
【０１６２】
（ステップＳ５０１）
リール制御手段３０６は、ストップボタンスイッチ１３０ａ、１３０ｂ、１３０ｃのいずれかが操作されたか否か判定する。その結果、ストップボタンスイッチ１３０ａ、１３０ｂ、１３０ｃのいずれかが操作されれば、ステップＳ５０２に処理を移し、ストップボタンスイッチ１３０ａ、１３０ｂ、１３０ｃのいずれも操作されなければ、ステップＳ５０１からの処理を繰り返す。
【０１６３】
（ステップＳ５０２）
コマンド決定手段３１４は、ストップボタンスイッチ１３０ａ、１３０ｂ、１３０ｃのいずれかの操作がなされると、操作がなされたストップボタンスイッチ１３０ａ、１３０ｂ、１３０ｃの情報を示す停止コマンド（第１停止コマンド、第２停止コマンド、第３停止コマンド）を操作の度に生成し、コマンド送信手段３１６は、生成された停止コマンドを順次、副制御基板２０２に送信する。
【０１６４】
（ステップＳ５０３）
次に、リール制御手段３０６は、操作されたストップボタンスイッチ１３０ａ、１３０ｂ、１３０ｃに対応する回転リール１３４ａ、１３４ｂ、１３４ｃをそれぞれ停止制御する。
【０１６５】
（ステップＳ５０４）
続いて、リール制御手段３０６は、操作したストップボタンスイッチ１３０ａ、１３０ｂ、１３０ｃに対応する１の回転リール（左リール１３４ａ、中リール１３４ｂ、右リール１３４ｃのいずれか）が完全に停止したか否か判定する。その結果、１の回転リールが停止していれば、ステップＳ５０５に処理を移し、まだ停止していなければ、ステップＳ５０４の処理を繰り返す。
【０１６６】
（ステップＳ５０５）
上記ステップＳ５０４において操作したストップボタンスイッチ１３０ａ、１３０ｂ、１３０ｃに対応する回転リール１３４ａ、１３４ｂ、１３４ｃが停止していると判定されれば、リール制御手段３０６は、全ての回転リール１３４ａ、１３４ｂ、１３４ｃが停止しているか否か判定する。その結果、全ての回転リール１３４ａ、１３４ｂ、１３４ｃが停止していれば、ステップＳ５０６に処理を移し、まだ停止していない回転リール１３４ａ、１３４ｂ、１３４ｃが存在すれば、ステップＳ５０１からの処理を繰り返す。
【０１６７】
（ステップＳ５０６）
上記ステップＳ５０５において全ての回転リール１３４ａ、１３４ｂ、１３４ｃが停止していると判定されれば、リール制御手段３０６は、今回の１遊技における遊技者の操作態様（ここでは操作順）と回転リール１３４ａ、１３４ｂ、１３４ｃの停止態様をメインＲＡＭ２００ｃに保持し、当該リール停止処理Ｓ５００を終了する。かかる操作態様と停止態様とは、リール回転処理Ｓ４００において、上乗せ演出を実行するか否かの判定条件として用いられる。
【０１６８】
（副制御基板２０２のサブ処理）
図２０は、副制御基板２０２のサブ処理を示したフローチャートである。ここでは本実施形態の特徴に関係する処理について詳細に説明し、本実施形態の特徴と無関係の構成については説明を省略する。
【０１６９】
（ステップＳ１１００）
電源スイッチ１４８を介してスロットマシン１００の電源が投入され、通電状態になると、初期化決定手段３３０は、遊技開始に備え初期化処理を実行する。初期化決定手段３３０は、電源が投入されている間、随時バックアップデータを生成し、そのバックアップデータをサブＲＡＭ２０２ｃに保持している。
【０１７０】
（ステップＳ１２００）
コマンド受信手段３３２は、主制御基板２００からのコマンドが受信されるまで待機する。
【０１７１】
（ステップＳ１３００）
上記ステップＳ１２００においてコマンドが受信されていると判定されれば、コマンド受信手段３３２は、当該受信されたコマンドに基づいて種々の処理を実行し、ステップＳ１２００からの処理を繰り返す。
【０１７２】
（コマンド受信処理Ｓ１３００）
図２１は、上記ステップＳ１３００のコマンド受信処理を示したフローチャートである。
【０１７３】
（ステップＳ１３０１）
まず、コマンド受信手段３３２は、受信したコマンドが投入コマンドであるか否か判定する。その結果、受信したコマンドが投入コマンドであれば、ステップＳ１３０２に処理を移し、受信したコマンドが投入コマンドでなければ、ステップＳ１３０３に処理を移す。
【０１７４】
（ステップＳ１３０２）
上記ステップＳ１３０１において受信したコマンドが投入コマンドであると判定されれば、演出実行手段３３８は、次の遊技のための遊技開始準備が行われたとして、それまで実行されていた演出を所定条件下で切り換えたり、終了させたりする。
【０１７５】
（ステップＳ１３０３）
続いて、コマンド受信手段３３２は、受信したコマンドが当選種別コマンドであるか否か判定する。その結果、受信したコマンドが当選種別コマンドであれば、１遊技が開始されたとし、ステップＳ１３０４に処理を移し、受信したコマンドが当選種別コマンドでなければ、ステップＳ１３０７に処理を移す。
【０１７６】
（ステップＳ１３０４）
上記ステップＳ１３０３において受信したコマンドが当選種別コマンドであると判定されれば、副遊技状態遷移手段３３４は、当選種別コマンドに示される主制御基板２００が管理する遊技状態がボーナス成立遊技状態であることを条件に、当選種別コマンドに示される当選種別および副制御基板２０２で管理している遊技状態に基づき、種々の抽選処理を実行する。副遊技状態遷移手段３３４による抽選処理Ｓ１３０４は後程詳述する。
【０１７７】
（ステップＳ１３０５）
続いて、演出決定手段３３６は、当選種別コマンドに基づいて遊技の演出を決定する。ここで、通常ＡＴ遊技や擬似ボーナス遊技が実行されており、かつ、当選種別コマンドに示される当選種別が当選種別「打順ベル」である場合、正解操作態様を報知する補助演出が決定される。演出決定手段３３６による演出決定処理Ｓ１３０５は後程詳述する。
【０１７８】
（ステップＳ１３０６）
次に、演出実行手段３３８は、演出決定手段３３６によって決定された演出を実行開始する。例えば、決定された演出が補助演出であれば、演出実行手段３３８は、当該補助演出を実行する。
【０１７９】
（ステップＳ１３０７）
続いて、コマンド受信手段３３２は、受信したコマンドが停止コマンドであるか否か判定する。その結果、受信したコマンドが停止コマンドであれば、ステップＳ１３０８に処理を移し、受信したコマンドが停止コマンドでなければ、ステップＳ１３０９に処理を移す。
【０１８０】
（ステップＳ１３０８）
上記ステップＳ１３０７において受信したコマンドが停止コマンドであると判定されれば、演出実行手段３３８は、その停止コマンドが、第１停止コマンド、第２停止コマンド、第３停止コマンドのいずれであるか、また、その停止操作は、ストップボタンスイッチ１３０ａ、１３０ｂ、１３０ｃのいずれになされた停止操作かを判定し、その判定結果と演出の内容に基づいて、演出態様を変動させる。
【０１８１】
（ステップＳ１３０９）
続いて、コマンド受信手段３３２は、受信したコマンドが入賞コマンドであるか否か判定する。その結果、受信したコマンドが入賞コマンドであれば、ステップＳ１３１０に処理を移し、受信したコマンドが入賞コマンドでなければ、ステップＳ１３１３に処理を移す。
【０１８２】
（ステップＳ１３１０）
上記ステップＳ１３０９において受信したコマンドが入賞コマンドであると判定されれば、演出実行手段３３８は、当該入賞コマンドに基づく演出を実行する。
【０１８３】
（ステップＳ１３１１）
続いて、副遊技状態遷移手段３３４は、副制御基板２０２で管理される遊技状態の進行状態を把握し、遊技状態の終了判定を行う。例えば、現在の遊技状態が通常ＡＴ遊技であれば、通常ＡＴ遊技カウンタを１減算し、通常ＡＴ遊技カウンタが０になると当該通常ＡＴ遊技を終了する。また、現在の遊技状態が擬似ボーナス遊技であれば、当該遊技における当選種別が当選種別「打順ベル」である場合に擬似ボーナス遊技カウンタを１減算し、擬似ボーナス遊技カウンタが０になると当該擬似ボーナス遊技を終了する。このように遊技状態が終了した場合、図１１を用いて説明した遊技状態に移行する。
【０１８４】
（ステップＳ１３１２）
次に、副遊技状態遷移手段３３４は、副制御基板２０２で管理される遊技状態の開始判定を行う。そして、通常ＡＴ遊技や擬似ボーナス遊技の開始条件を満たすと、その遊技状態が開始される。例えば、ステップＳ１３０４の抽選により通常ＡＴ遊技に当選すると、当該ステップＳ１３１２において通常ＡＴ遊技を即座に開始する。また、擬似ボーナス遊技に当選すると、その擬似ボーナス遊技に対応する当選種別の当選を待って（ビッグボーナス遊技では当選種別「ボーナスリプレイ１」の当選を待ち、レギュラーボーナス遊技では当選種別「ボーナスリプレイ２」の当選を待つ）、擬似ボーナス遊技に対応する当選役（ビッグボーナス遊技は当選役「ビッグリプレイ」、レギュラーボーナス遊技は当選役「レギュラーリプレイ」）の入賞条件となる操作態様による操作がなされた後、擬似ボーナス遊技を開始する。
【０１８５】
（ステップＳ１３１３）
続いて、コマンド受信手段３３２は、受信したコマンドが払出コマンドであるか否か判定する。その結果、受信したコマンドが払出コマンドであれば、ステップＳ１３１４に処理を移し、受信したコマンドが払出コマンドでなければ、当該コマンド受信処理Ｓ１３００を終了する。
【０１８６】
（ステップＳ１３１４）
上記ステップＳ１３１３において受信したコマンドが払出コマンドであると判定されれば、演出実行手段３３８は、当該払出コマンドに基づく演出を実行し、当該コマンド受信処理Ｓ１３００を終了する。そうすると、メダルの払出に応じて、サブクレジット表示部１５６およびサブ払出表示部１５８の数値が更新される。
【０１８７】
（抽選処理Ｓ１３０４）
図２２は、上記ステップＳ１３０４の抽選処理を示したフローチャートである。
【０１８８】
（ステップＳ１３０４−１）
副遊技状態遷移手段３３４は、当選種別コマンドに示される主制御基板２００が管理する遊技状態がボーナス成立遊技状態であることを条件に、当選種別コマンドに示される当選種別および副制御基板２０２で管理している遊技状態に基づき、サブＲＯＭ２０２ｂに保持された図１２に示したような遊技状態抽選テーブルを参照して、演出抽選乱数に基づき、特定遊技である、通常ＡＴ遊技（ノーマルＡＴ遊技、チャンスＡＴ遊技）または擬似ボーナス遊技（ビッグボーナス遊技、レギュラーボーナス遊技）のいずれかに当選しているか否か判定する。
【０１８９】
なお、ここでは、通常ＡＴ遊技の実行が決定された場合は通常ＡＴ遊技の継続回数も決定され、通常ＡＴ遊技カウンタに設定される。ここで、通常ＡＴ遊技カウンタは、通常ＡＴ遊技の残り継続回数を示すカウンタである。また、擬似ボーナス遊技の実行が決定された場合は擬似ボーナス遊技におけるナビ回数も決定され、擬似ボーナス遊技カウンタに設定される。ここで、擬似ボーナス遊技カウンタは、擬似ボーナス遊技の残りナビ回数を示すカウンタである。また、副制御基板２０２で管理している遊技状態が擬似ボーナス遊技状態であれば、副遊技状態遷移手段３３４は、擬似ボーナス遊技のナビ回数の上乗せ抽選を行い、上乗せ抽選に当選すると、当選したナビ回数を擬似ボーナス遊技カウンタに加算する。
【０１９０】
（ステップＳ１３０４−２）
続いて、副遊技状態遷移手段３３４は、通常ＡＴ遊技中であるか否か判定する。その結果、通常ＡＴ遊技中であれば、ステップＳ１３０４−３に処理を移し、通常ＡＴ遊技中でなければ、当該抽選処理Ｓ１３０４を終了する。
【０１９１】
（ステップＳ１３０４−３）
続いて、副遊技状態遷移手段３３４は、当選種別コマンドに示される当選種別が当選種別「特殊リプレイ１」であるか否か判定する。その結果、当選種別「特殊リプレイ１」であれば、ステップＳ１３０４−４に処理を移し、当選種別「特殊リプレイ１」でなければ、当該抽選処理Ｓ１３０４を終了する。
【０１９２】
（ステップＳ１３０４−４）
上記ステップＳ１３０４−３において当選種別コマンドに示される当選種別が当選種別「特殊リプレイ１」であると判定されれば上乗せ演出確率を参照して、上乗せ演出（表示演出）を実行するか否かを上乗せ抽選により決定する。また、演出決定手段３３６は、上乗せ演出を実行すると決定した場合には、３回の上乗せ演出における３つの上乗せ回数候補それぞれを、複数の上乗せ回数候補の中から抽選により決定する。
【０１９３】
（ステップＳ１３０４−５）
副遊技状態遷移手段３３４は、ステップＳ１３０４−４における上乗せ抽選の結果が、上乗せ演出を実行することを決定したか否か判定する。その結果、上乗せ演出を実行することを決定していれば、ステップＳ１３０４−６に処理を移し、上乗せ演出を実行することを決定していなければ、当該抽選処理Ｓ１３０４を終了する。
【０１９４】
（ステップＳ１３０４−６）
副遊技状態遷移手段３３４は、上乗せ演出決定フラグをオンにし、当該抽選処理Ｓ１３０４を終了する。ここで、上乗せ演出決定フラグは、次回の遊技において上乗せ演出を実行することが決定されたことを示すフラグである。
【０１９５】
（演出決定処理Ｓ１３０５）
図２３は、上記ステップＳ１３０５の演出決定処理を示したフローチャートである。
【０１９６】
（ステップＳ１３０５−１）
演出決定手段３３６は、上乗せ演出開始フラグがオンしているかを判定する。その結果上乗せ演出開始フラグがオンしていれば、ステップＳ１４００に処理を移し、上乗せ演出開始フラグがオンしていなければ、ステップＳ１３０５−２に処理を移す。ここで、上乗せ演出開始フラグは、今回の遊技において上乗せ演出を実行することを示すフラグである。
【０１９７】
（ステップＳ１４００）
演出決定手段３３６は、上乗せ演出を実行する上乗せ演出実行処理を行う。副遊技状態遷移手段３３４による上乗せ演出実行処理Ｓ１４００は後程詳述する。
【０１９８】
（ステップＳ１３０５−２）
演出決定手段３３６は、通常ＡＴ遊技中であるか否か判定する。その結果、通常ＡＴ遊技中であれば、ステップＳ１３０５−３に処理を移し、通常ＡＴ遊技中でなければ、当該演出決定処理Ｓ１３０５を終了する。
【０１９９】
（ステップＳ１３０５−３）
演出決定手段３３６は、当選種別コマンドに示される当選種別が当選種別「打順ベル」であるか否か判定する。その結果、当選種別が当選種別「打順ベル」であれば、ステップＳ１３０５−４に処理を移し、当選種別が当選種別「打順ベル」でなければ、ステップＳ１３０５−５に処理を移す。
【０２００】
（ステップＳ１３０５−４）
ステップＳ１３０５−３において当選種別が当選種別「打順ベル」であると判定されれば、演出決定手段３３６は、その当選種別「打順ベル」の正解操作態様を報知する（補助演出）。
【０２０１】
（ステップＳ１３０５−５）
演出決定手段３３６は、当選種別コマンドに示される当選種別が当選種別「特殊リプレイ１」であるか否か判定する。その結果、当選種別「特殊リプレイ１」であれば、ステップＳ１３０５−６に処理を移し、当選種別「特殊リプレイ１」でなければ、当該演出決定処理Ｓ１３０５を終了する。
【０２０２】
（ステップＳ１３０５−６）
演出決定手段３３６は、上乗せ演出決定フラグがオンしているかを判定する。その結果上乗せ演出決定フラグがオンしていれば、ステップＳ１３０５−７に処理を移し、上乗せ演出決定フラグがオンしていなければ、ステップＳ１３０５−１０に処理を移す。
【０２０３】
（ステップＳ１３０５−７）
演出決定手段３３６は、当選役「特殊リプレイ１」の入賞条件となる操作態様を報知する。
【０２０４】
（ステップＳ１３０５−８）
演出決定手段３３６は、次回の遊技において上乗せ演出を実行させるための上乗せ演出開始フラグをオンにする。
【０２０５】
（ステップＳ１３０５−９）
演出決定手段３３６は、上乗せ演出決定フラグをオフにし、当該演出決定処理Ｓ１３０５を終了する。
【０２０６】
（ステップＳ１３０５−１０）
演出決定手段３３６は、当選役「通常リプレイ」の入賞条件となる操作態様を報知し、演出決定処理Ｓ１３０５を終了する。
【０２０７】
（上乗せ演出実行処理Ｓ１４００）
図２４は、上記ステップＳ１４００の上乗せ演出実行処理を示したフローチャートである。
【０２０８】
（ステップＳ１４００−１）
演出決定手段３３６は、上乗せ演出の実行回数Ｎを１にする。
【０２０９】
（ステップＳ１４００−２）
演出決定手段３３６は、ステップＳ１３０４−４において決定した上乗せ演出の実行回数に対応する上乗せ回数候補を参照して、上乗せ演出回数候補を示す上乗せ回数候補部分画像４００ａ、４００ｂ、４００ｃを液晶表示部１３８における回転リール１３４ａ、１３４ｂ、１３４ｃそれぞれに対応する位置に表示する。
【０２１０】
（ステップＳ１４００−３）
演出決定手段３３６は、回転操作有効期間をセットする。
【０２１１】
（ステップＳ１４００−４）
コマンド受信手段３３２は、主制御基板２００から回転リールコマンドを受信したかを判定する。その結果、回転リールコマンドを受信していれば、ステップＳ１４００−１０に処理を移し、回転リールコマンドを受信していなければ、ステップＳ１４００−５に処理を移す。なお、ここでは、回転リールコマンドに応じて判定がなされるので、上乗せ回数候補部分画像４００ａ、４００ｂ、４００ｃが停止表示されている状態で、１の回転リールの回転が開始されることになる。
【０２１２】
（ステップＳ１４００−５）
リール制御手段３０６は、回転操作有効期間が経過したかを判定する。その結果、回転操作有効期間が経過していれば、ステップＳ１４００−７に処理を移し、回転操作有効期間が経過していなければ、ステップＳ１４００−６に処理を移す。
【０２１３】
（ステップＳ１４００−６）
リール制御手段３０６は、演出スイッチ１３２の操作を有効にする。
【０２１４】
（ステップＳ１４００−７）
リール制御手段３０６は、演出スイッチ１３２の操作を無効にする。こうして、演出スイッチ１３２の操作を禁止し、上乗せ回数候補部分画像４００ａ、４００ｂ、４００ｃの移動表示を停止して、回転リール１３４ａ、１３４ｂ、１３４ｃそれぞれに対応する位置に表示される上乗せ回数候補部分画像４００ａ、４００ｂ、４００ｃを確定する。
【０２１５】
（ステップＳ１４００−８）
演出決定手段３３６は、演出スイッチ１３２の操作が有効で、かつ、演出スイッチ１３２の回転操作がなされたかを判定する。その結果、演出スイッチ１３２の操作が有効で、かつ、演出スイッチ１３２の回転操作がなされていれば、ステップＳ１４００−９に処理を移し、演出スイッチ１３２の操作が有効でなく、または、演出スイッチ１３２の回転操作がなされていなければ、ステップＳ１４００−４に処理を戻す。
【０２１６】
（ステップＳ１４００−９）
演出決定手段３３６は、演出スイッチ１３２の回転操作に応じて、上乗せ回数候補部分画像４００ａ、４００ｂ、４００ｃを移動表示期間に亘って移動表示する。
【０２１７】
（ステップＳ１４００−１０）
副遊技状態遷移手段３３４は、上記ステップＳ１４００−４で受信した回転リールコマンドに基づいて、主制御基板２００において回転の決定がなされた回転リールに対応する位置に表示された上乗せ回数候補部分画像４００に示された上乗せ回数候補を上乗せ回数として決定する上乗せ回数決定処理を行う。なお、上記ステップＳ１４００−４でスタートコマンドを受信した場合には、その後に主制御基板２００から送信される回転リールコマンドを受信すると、その回転リールコマンドに基づいて上乗せ回数決定処理を行う。
【０２１８】
（ステップＳ１４００−１１）
演出決定手段３３６は、上乗せ演出の実行回数Ｎが３であるかを判定する。その結果、フリーズ演出の実行回数Ｎが３であれば、ステップＳ１４００−１３に処理を移し、フリーズ演出の実行回数Ｎが３でなければ、ステップＳ１４００−１２に処理を移す。
【０２１９】
（ステップＳ１４００−１２）
リール制御手段３０６は、フリーズ演出の実行回数Ｎを１加算して更新し、ステップＳ１４００−２の処理に戻る。
【０２２０】
（ステップＳ１４００−１３）
リール制御手段３０６は、上乗せ演出開始フラグをオフし、当該上乗せ演出実行処理を終了する。
【０２２１】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０２２２】
例えば、上述した実施形態においては、上乗せ演出に対応する図柄の組み合わせを、図柄表示窓１３６内で直線的に表示する例を挙げて説明しているが、かかる場合に限らず、小Ｖ字形（左リール１３４ａの上段、中リール１３４ｂの中段、右リール１３４ｃの上段に停止する図柄に対応する位置を結んだライン）、大Ｖ字形（左リール１３４ａの上段および中段、中リール１３４ｂの下段、右リール１３４ｃの中段および上段に停止する図柄に対応する位置を結んだライン）、への字形（左リール１３４ａの下段、中リール１３４ｂの中段、右リール１３４ｃの下段に停止する図柄に対応する位置を結んだライン）等、擬似ボーナス遊技の当選を把握できる態様で規則的に表示されればよい。
【０２２３】
また、上述した実施形態において、通常ＡＴ遊技状態は、設定された継続回数に到達することで終了し、また、擬似ボーナス遊技状態は、設定されたナビ回数に到達したことで終了する旨、説明したが、かかる場合に限らず、補助演出を受け得る各遊技状態（通常ＡＴ遊技状態、擬似ボーナス遊技状態）は、設定された継続回数に到達したこと、設定されたナビ回数に到達したこと、設定された払出枚数に到達したこと、または設定された獲得枚数（払出枚数−投入枚数）に到達したこと等、補助演出を受け得る様々な遊技機会の消化により終了するとしてもよい。また、上述した実施形態においては、補助演出を受け得る各遊技状態において、補助演出を受け得る遊技機会の上乗せ量として継続回数の上乗せ抽選が行われ、当選することで継続回数が延長される旨、説明したが、かかる場合に限らず、補助演出を受け得る様々な遊技機会の数を増減したり、変更したりする等、その遊技状態の終了条件を変更する様々な抽選を行うことができる。
【０２２４】
また、上述した実施形態においては、上乗せ演出において、回転リール１３４ａ、１３４ｂ、１３４ｃを仮停止させ、回転リール１３４ａ、１３４ｂ、１３４ｃのうちのいずれか１の回転リールを回転させて、回転させた回転リールに対応する位置に表示される上乗せ回数候補部分画像が示す上乗せ回転候補を上乗せ回数とするようにした。しかしながら、例えば、回転リール１３４ａ、１３４ｂ、１３４ｃを仮停止させ、回転リール１３４ａ、１３４ｂ、１３４ｃのうちのいずれか２の回転リールを回転させて、回転させていない回転リールに対応する位置に表示される上乗せ回数候補部分画像が示す上乗せ回転候補を上乗せ回数とするようにしてもよい。つまり、仮停止させた回転リール１３４ａ、１３４ｂ、１３４ｃのうちから１の回転リールを決定し、決定した１の回転リールと、その他の回転リールとを異なる態様で回転制御し、決定した回転リールに対応する位置に表示される上乗せ回数候補部分画像が示す上乗せ回転候補を上乗せ回数とするようにすればよい。
【０２２５】
また、上述した実施形態においては、上乗せ演出において、液晶表示部１３８に表示された上乗せ回数候補部分画像を演出スイッチ１３２の操作に応じて移動表示させたが、例えば、ベットスイッチ１２６、スタートスイッチ１２８、ストップスイッチ１３０等の操作部の操作に応じて液晶表示部１３８に表示された上乗せ回数候補部分画像を移動表示させてもよい。
【０２２６】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０２２７】
１００  スロットマシン（遊技機）
１２６  ベットスイッチ
１２８  スタートスイッチ
１３０  ストップスイッチ
１３２  演出スイッチ
１３４ａ、１３４ｂ、１３４ｃ  回転リール
１３８  液晶表示部（画像表示部）
２００  主制御基板
２０２  副制御基板
３０２  ベット手段
３０４  当選種別抽選手段
３０６  リール制御手段
３１０  払出制御手段
３１４  コマンド決定手段
３１６  コマンド送信手段
３３４  副遊技状態遷移手段
３３８  演出実行手段
【図１】
2015112162.tif 000003
【図２】
2015112162.tif 000004
【図３】
2015112162.tif 000005
【図４】
2015112162.tif 000006
【図５】
2015112162.tif 000007
【図６】
2015112162.tif 000008
【図７】
2015112162.tif 000009
【図８】
2015112162.tif 000010
【図９】
2015112162.tif 000011
【図１０】
2015112162.tif 000012
【図１１】
2015112162.tif 000013
【図１２】
2015112162.tif 000014
【図１３】
2015112162.tif 000015
【図１４】
2015112162.tif 000016
【図１５】
2015112162.tif 000017
【図１６】
2015112162.tif 000018
【図１７】
2015112162.tif 000019
【図１８】
2015112162.tif 000020
【図１９】
2015112162.tif 000021
【図２０】
2015112162.tif 000022
【図２１】
2015112162.tif 000023
【図２２】
2015112162.tif 000024
【図２３】
2015112162.tif 000025
【図２４】
2015112162.tif 000026